(57)【要約】【課題】シリーズコンテンツの録画／再生時にユーザの操作を煩雑にすることのないようにシリーズ番組におけるユーザへの情報提示、録画方法、再生方法などを管理する方法を提供する。【解決手段】シリーズ管理テーブルを用いることによって、シリーズコンテンツを、シリーズＩＤ、エピソード番号、録画ステータスによって管理する。各シリーズコンテンツについて、シリーズＩＤの同じものについてはそれを一つとして一覧表示する。また、エピソード番号ごとに記録済みかどうかを記録しておき、未録画ならば次回の放送の機会に確実に予約録画する。また、録画順序に関係なく、エピソード番号の古い順に再生できる。【選択図】  図１
2004343520.tif 000002
【特許請求の範囲】
【請求項１】
放送元から放送されるコンテンツに対する録画再生を管理するコンテンツ録画再生管理装置において、
コンテンツごとに、それが録画済みかどうかを示す情報である録画ステータス情報が登録されたシリーズ管理テーブルを格納する記憶部と、
放送元から一定期間に定期的に放送されるシリーズコンテンツについて、該シリーズコンテンツを特定する情報を示すシリーズＩＤと、該シリーズコンテンツの第何回目の放送分であるかを示すエピソード番号とを上記シリーズ管理テーブルに登録し、上記録画ステータス情報を上記シリーズ管理テーブルへエピソード番号ごとに登録する制御部とを備えたことを特徴とするコンテンツ録画再生管理装置。
【請求項２】
請求項１に記載のコンテンツ録画再生管理装置を用いて、放送元から放送されるコンテンツに対する録画再生を管理するコンテンツ録画再生管理方法において、
上記制御部によって、シリーズ管理テーブルに、
放送元から一定期間に定期的に放送されるシリーズコンテンツについて、該シリーズコンテンツを特定する情報を示すシリーズＩＤと、該シリーズコンテンツの第何回目の放送分であるかを示すエピソード番号とを登録し、エピソード番号ごとに、録画済みかどうかを示す情報である録画ステータス情報を登録して上記記憶部に格納することを特徴とするコンテンツ録画再生管理方法。
【請求項３】
一回限りの録画である通常録画か毎回録画するシリーズ録画かに関係なく、シリーズコンテンツについては、放送されてくるエピソード番号を上記シリーズ管理テーブルに登録することを特徴とする請求項２に記載のコンテンツ録画再生管理方法。
【請求項４】
どのシリーズコンテンツのどのエピソード番号をいつ放送するかを示す番組付帯情報を放送されて、その中に、シリーズコンテンツを毎回録画するのを予約しておく処理であるシリーズコンテンツ録画予約を行う対象となっているシリーズコンテンツに属し、かつ、未録画のエピソード番号があった場合に、その番組付帯情報に示されている情報に従って録画予約の日時およびチャンネルを設定し、録画予約した旨を上記シリーズ管理テーブルに登録する処理を行うことを特徴とする請求項２に記載のコンテンツ録画再生管理方法。
【請求項５】
ユーザに提示するための、録画が済んだコンテンツの一覧を表す一覧表として、シリーズコンテンツではないコンテンツについてはコンテンツごとに１件とし、またシリーズコンテンツについてはエピソードごとではなくシリーズコンテンツごとに１件とする一覧表であるコンテンツ一覧表を表示することを特徴とする請求項２に記載のコンテンツ録画再生管理方法。
【請求項６】
上記コンテンツ一覧表で、ユーザから選択を受けると、
選択されたのが、シリーズコンテンツではないコンテンツであった場合には、そのコンテンツを再生し、
選択されたのが、シリーズコンテンツであった場合には、そのシリーズコンテンツで録画済みのもののうちでエピソード番号の最も小さいエピソードから順に再生することを特徴とする請求項５に記載のコンテンツ録画再生管理方法。
【請求項７】
上記コンテンツ一覧表で、ユーザから選択を受けると、
選択されたのが、シリーズコンテンツではないコンテンツであった場合には、そのコンテンツを再生し、
選択されたのが、シリーズコンテンツであった場合には、そのシリーズコンテンツで録画済みのエピソードの一覧表であるエピソード一覧表を表示し、
上記エピソード一覧表で、ユーザから選択を受けると、選択されたエピソードを再生することを特徴とする請求項５に記載のコンテンツ録画再生管理方法。
【請求項８】
エピソード一覧表内でユーザによりエピソードを選択されると、それに合わせて、その選択されたエピソードに関する情報をユーザに提示することを特徴とする請求項７に記載のコンテンツ録画再生管理方法。
【請求項９】
上記エピソード一覧表で、ユーザから選択を受けると、選択されたエピソードから再生を始めて、選択されたエピソードのエピソード番号以上のエピソード番号を持つエピソードをエピソード番号の小さい順に再生することを特徴とする請求項７に記載のコンテンツ録画再生管理方法。
【請求項１０】
上記エピソード一覧表で、ユーザから選択を受けると、選択されたエピソードのみ再生することを特徴とする請求項７に記載のコンテンツ録画再生管理方法。
【請求項１１】
エピソードの再生中に、ユーザから、同じシリーズコンテンツの別のエピソードの再生指示を受けると、指示を受けたシリーズコンテンツのエピソードの先頭から再生を始めることを特徴とする請求項７に記載のコンテンツ録画再生管理方法。
【請求項１２】
上記ユーザからの、同じシリーズコンテンツの別のエピソードの再生指示が、対象のエピソードのエピソード番号の入力処理であることを特徴とする請求項１１に記載のコンテンツ録画再生管理方法。
【請求項１３】
上記ユーザからの、同じシリーズコンテンツの別のエピソードの再生指示が、エピソード番号を増減させる指示の入力処理であることを特徴とする請求項１１に記載のコンテンツ録画再生管理方法。
【請求項１４】
シリーズコンテンツのエピソードを再生中に、ユーザから指示を受けると、
そのシリーズコンテンツで録画済みのエピソードの一覧表であるエピソード一覧表を表示し、
上記エピソード一覧表で、ユーザから選択を受けると、選択されたエピソードを再生することを特徴とする請求項２に記載のコンテンツ録画再生管理方法。
【請求項１５】
エピソード一覧表内でユーザによりエピソードを選択されると、それに合わせて、その選択されたエピソードに関する情報をユーザに提示することを特徴とする請求項１４に記載のコンテンツ録画再生管理方法。
【請求項１６】
上記エピソード一覧表で、ユーザから選択を受けると、選択されたエピソードから再生を始めて、選択されたエピソードのエピソード番号以上のエピソード番号を持つエピソードをエピソード番号の小さい順に再生することを特徴とする請求項１４に記載のコンテンツ録画再生管理方法。
【請求項１７】
上記エピソード一覧表で、ユーザから選択を受けると、選択されたエピソードのみ再生することを特徴とする請求項１４に記載のコンテンツ録画再生管理方法。
【請求項１８】
上記コンテンツ一覧表において、ユーザから、シリーズコンテンツの削除指示を受けると、そのシリーズコンテンツに属する録画済みのすべてのエピソードを削除することを特徴とする請求項５に記載のコンテンツ録画再生管理方法。
【請求項１９】
コンピュータを請求項１に記載のコンテンツ録画再生管理装置における記憶部および制御部として機能させるためのプログラムであることを特徴とするコンテンツ録画再生管理プログラム。
【請求項２０】
請求項１９に記載のコンテンツ録画再生管理プログラムを録画したことを特徴とするコンピュータ読み取り可能な記録媒体。
【発明の詳細な説明】
【０００１】
【発明の属する技術分野】
この発明は、放送を受信し、録画再生するものであって、特に、一定期間に放送されるシリーズ化された番組のコンテンツ録画再生管理装置、コンテンツ録画再生管理方法、コンテンツ録画再生管理プログラム、コンテンツ録画再生管理プログラムを格納したコンピュータ読み取り可能な記録媒体に関するものである。
【０００２】
【従来の技術】
近時、ＣＳ放送やＢＳ放送等のデジタル放送信号を記録する記録媒体として、従来のビデオテープに代わって記録容量が大きいハードディスクやＤＶＤ（Ｄｉｇｉｔａｌ  Ｖｅｒｓａｔｉｌｅ  Ｄｉｓｋ）などの光ディスクなどを用いた映像録画再生装置が提供されている。
【０００３】
このような大容量記録媒体にデジタル放送信号のような映像データを記録（以下、この明細書では録画という）する場合、従来のビデオテープに録画する場合に比べてはるかに多くの映像データを録画することができる。そのため、ユーザが、所望する映像データを再生しようとした場合、録画した映像データを一覧表示する再生メニュー画面に多くの番組タイトルなどが表示されるため、その中から所望する番組（映像データ）を選択する必要があった。
【０００４】
また、放送される番組には、毎日または毎週というように、一定期間ごとに放送されるシリーズ化された番組（以下、この明細書ではシリーズコンテンツという）も多く、ユーザは、このようなシリーズコンテンツをシリーズ録画予約によって順次録画できるようになっている。
【０００５】
しかしながら、このようなシリーズ録画予約によって録画された番組を再生する場合、ユーザは、従来と同様、一旦、再生メニュー画面に録画されている番組の一覧を表示し、その中から、所望するシリーズコンテンツの各回を探し出して選択し、再生する必要があった。
【０００６】
この場合、シリーズ録画予約によって、そのシリーズコンテンツは順次録画できるものの、再生メニュー画面には、録画された順番に番組メニューが表示されるため、例えばシリーズ（Ａ）の第１話（Ａ１）と第２話（Ａ２）の間に、別の番組（Ｂ）を録画した場合には、再生メニュー画面には、「Ａ１，Ｂ，Ａ２・・・」といった具合に番組名が表示される。そのため、ユーザは、シリーズＡの第１話と第２話を見たい場合、その再生メニュー画面から、とびとびに表示されているＡ１とＡ２とを個別に選択する必要があり、煩わしい操作となっていた。
【０００７】
ところで、再生時も考慮して、シリーズコンテンツを録画予約する技術が、例えば特許文献１に開示されている。この従来技術は、一定期間ごとに放送されるシリーズコンテンツを録画予約する際に、シリーズを識別するシリーズ番号と、シリーズ中の何回目の放送かを示すシリーズ連番を付与するとともに、この付与したシリーズ番号とシリーズ連番とを、その映像データの番組情報や記録媒体中の位置情報などを含む目次情報と関連付けたシリーズ情報を作成し、ＥＰＲＯＭ、ＥＥＰＲＯＭ、フラッシュＲＯＭ等の記憶媒体に記憶する。そして、録画された映像データのうちシリーズコンテンツの再生を行う時、再生メニュー画面として前記記憶媒体に記憶されているシリーズ情報を読み出して、番組名、シリーズ番号、シリーズ連番、及びサブタイトル名などを各シリーズ番号ごとに表示する。表示されたシリーズ情報から再生を希望する任意の情報が選択されることにより、その情報に関連付けられている目次情報に基づいて該当する映像データを読み出して再生する。これにより、シリーズコンテンツがシリーズ情報にて管理され、その情報が記憶媒体に記憶されるため、装置の処理動作が煩雑になることなく、また、録画した映像データのファイルを検索する場合にも、シリーズ化されていることで見やすく、かつ簡単に検索することが可能となっている。例えば、表示したシリーズ情報からシリーズ番号が選択された場合は、シリーズ番号に含まれるシリーズ連番の若い順から映像データを連続して再生したり、また、シリーズ連番が選択された場合は、該当するシリーズ連番の映像データのみを再生して視聴したりできるようになっている。
【０００８】
また、デジタル放送におけるシリーズは、番組付加情報であるＳＩ（Ｓｅｒｖｉｃｅ  ｉｎｆｏｒｍａｔｉｏｎ）情報であるシリーズ記述子で識別し、シリーズ記述子が記載されている番組がシリーズ番組となる。シリーズ記述子には、シリーズをユニークに識別するためのｉｄ、再放送の回数を示すｌａｂｅｌ、シリーズ記述子が示す番組の話数（エピソード番号）を示すｎｕｍｂｅｒ、シリーズ番組の総数を示す上記とは別のｎｕｍｂｅｒなどが記載されている。受信機は、このシリーズ記述子を取得し、シリーズ記述子からなる一覧表を表示し、そこからユーザ操作により希望するシリーズを選択して予約設定を行う。予約設定されるとそのシリーズの番組開始時刻に予約動作が行われ、その予約が録画予約であれば録画機器を制御して録画予約が実現できる。この動作は、指定したシリーズの期間が終了するまで続く。しかし、受信機は予約設定されたシリーズに該当する番組を確認すると実行（予約実行）するに過ぎない。予約実行時に受信障害やＡＣ電源オフ状態であった場合は、その話数（エピソード番号）は予約実行できなくなり、次に予約実行されるのは次の話数（エピソード番号）からになり、特定のシリーズに対して、シリーズ記述子を用いて連続性のある予約を行っているにも係わらず、シリーズとしての連続性がなくなってしまうことがあるという問題があった。
【０００９】
しかし、特許文献２では、受信したデジタル放送に含まれる番組のシリーズ情報を復調、ユーザの操作に応じて所望の番組話数（エピソード番号）を設定する番組設定、前記番組設定手段で設定された番組話数（エピソード番号）を前記シリーズ情報復調手段で復調されたシリーズ記述子から検索する番組検索手段とを備え、図１９を参照すればわかるように、シリーズ番組の録画に抜けが生じた場合に、シリーズ記述子を用いて予約できなかった番組を検出し、その抜け番組の再録画を自動的に行うことができるようになっている。
【００１０】
また、一般的な前記録画再生装置において、録画した映像データを削除する際に、映像データ単位もしくは全映像データを削除することが出来るようになっている。
【００１１】
【特許文献１】
実用新案登録第３０８８３６７号公報（公開日平成１４年９月６日）
【００１２】
【特許文献２】
特開２００２−３５４３５４号公報（公開日平成１４年１２月６日）
【００１３】
【発明が解決しようとする課題】
しかしながら、前記特許文献１に記載の従来技術では、録画した順番にシリーズ連番を付与しており、話数（エピソード番号）が順番に録画されなかった場合を想定されていない。そのため、録画した順番と話数（エピソード番号）が一致していない場合、再生順序を並び替えできないといった問題点があった。
【００１４】
また、シリーズコンテンツを通常コンテンツと一覧表示できないため、録画内容を確認する際に、リモコン操作などで切り替えるといった余計な手間がかかったり、コンテンツの管理がしづらいといった問題があった。
【００１５】
また、シリーズコンテンツを視聴している際に、任意のシリーズ連番へ再生ポイントを移動するためには、早送りや早戻しなどの操作による検索や、一旦再生を停止して再生メニュー画面から選択し直すなど、ユーザの操作が煩雑になるといった問題があった。
【００１６】
また、記録媒体の大容量化にともない、録画しているシリーズコンテンツの数が大量になった場合、各シリーズ番号ごとにシリーズ連番を表示していたのでは、再生メニュー画面内が見づらく、所望のシリーズを選択するのが困難な状況になるといった問題があった。
【００１７】
また、一般的な前記録画再生装置では、録画しているシリーズコンテンツの削除処理において、シリーズコンテンツ単位での削除が考慮されていない。そのため、シリーズコンテンツの削除を行うには、もし削除したいコンテンツ以外のコンテンツがない場合は録画コンテンツの「全消去」操作で対応できるが、必要なコンテンツが別にある場合は録画コンテンツの全消去を行う事が出来ないので、録画コンテンツ（シリーズ連番）単位での削除を行うという、ユーザにとって操作が煩雑になるといった問題があった。
【００１８】
また、予約録画失敗や未録画の欠落話数（エピソード番号）があった場合でも、特に対応策はないため、録画の失敗などによる番組の欠落があった場合、ユーザが自分で欠落番組を探して、録画あるいは録画予約しなければならないという問題があった。予約録画の失敗に対する問題については、前記特許文献２で解決手段が開示されているが、前記特許文献２では、予約録画シリーズコンテンツを途中話数（エピソード番号）からシリーズ録画した場合を考慮されておらず、シリーズ録画開始以前の未録画部分については、予約録画失敗とはならず、録画あるいは録画予約されない。例えば、第１話、第３話を録画済みであれば第２話を予約録画失敗とみなすが、第３話から録画し始めた場合は、第１話、第２話を予約録画失敗とみなさない。そのため、シリーズ録画設定をしたにもかかわらず、再度録画／録画予約をしなければならないといった問題があった。
【００１９】
本考案はかかる問題を解決すべく創案されたもので、その目的は、シリーズコンテンツの録画／再生時にユーザの操作を煩雑にすることのないように、シリーズコンテンツの管理を容易に行うことができるコンテンツ録画再生管理装置、コンテンツ録画再生管理方法、コンテンツ録画再生管理プログラム、コンテンツ録画再生管理プログラムを格納したコンピュータ読み取り可能な記録媒体を提供することにある。
【００２０】
【課題を解決するための手段】
上記の課題を解決するため、本発明に係るコンテンツ録画再生管理装置は、放送元から放送されるコンテンツに対する録画再生を管理するコンテンツ録画再生管理装置において、コンテンツごとに、それが録画済みかどうかを示す情報である録画ステータス情報が登録されたシリーズ管理テーブルを格納する記憶部と、放送元から一定期間に定期的に放送されるシリーズコンテンツについて、該シリーズコンテンツを特定する情報を示すシリーズＩＤと、該シリーズコンテンツの第何回目の放送分であるかを示すエピソード番号とを上記シリーズ管理テーブルに登録し、上記録画ステータス情報を上記シリーズ管理テーブルへエピソード番号ごとに登録する制御部とを備えたことを特徴としている。
【００２１】
上記の構成により、録画済みかどうかを示すシリーズ管理テーブルに、放送元から一定期間に定期的に放送されるシリーズコンテンツについて、該シリーズコンテンツを特定する情報を示すシリーズＩＤと、該シリーズコンテンツの第何回目の放送分であるかを示すエピソード番号とを格納・管理する。録画済みかどうかは、エピソード番号ごとに登録される。
【００２２】
したがって、録画した順番とエピソード番号とが一致していなくても、再生順序をエピソード番号順に並び替えることができる。
【００２３】
それゆえ、エピソード番号の順に録画するのではなくアトランダムな順番で各エピソードを録画しても、録画後に、エピソード番号順に再生順序を並び替えることで、目当てのエピソードを探しやすく、またエピソード番号順に連続再生したりするための操作を容易に行うことができるなど、シリーズコンテンツの管理を容易に行うことができる。
【００２４】
また、本発明に係るコンテンツ録画再生管理方法は、請求項１に記載のコンテンツ録画再生管理装置を用いて、放送元から放送されるコンテンツに対する録画再生を管理するコンテンツ録画再生管理方法において、上記制御部によって、シリーズ管理テーブルに、放送元から一定期間に定期的に放送されるシリーズコンテンツについて、該シリーズコンテンツを特定する情報を示すシリーズＩＤと、該シリーズコンテンツの第何回目の放送分であるかを示すエピソード番号とを登録し、エピソード番号ごとに、録画済みかどうかを示す情報である録画ステータス情報を登録して上記記憶部に格納することを特徴としている。
【００２５】
上記の構成により、放送元から一定期間に定期的に放送されるシリーズコンテンツについて、該シリーズコンテンツを特定する情報を示すシリーズＩＤと、該シリーズコンテンツの第何回目の放送分であるかを示すエピソード番号ごとに、録画済みかどうかを示す情報である録画ステータス情報をシリーズ管理テーブルに登録・管理する。
【００２６】
したがって、録画した順番とエピソード番号とが一致していなくても、再生順序をエピソード番号順に並び替えることができる。それゆえ、エピソード番号の順に録画するのではなくアトランダムな順番で各エピソードを録画しても、録画後に、エピソード番号順に再生順序を並び替えることで、目当てのエピソードを探しやすく、またエピソード番号順に連続再生したりするための操作を容易に行うことができるなど、シリーズコンテンツの管理を容易に行うことができる。
【００２７】
また、本発明に係るコンテンツ録画再生管理方法は、上記の構成に加えて、一回限りの録画である通常録画か毎回録画するシリーズ録画かに関係なく、シリーズコンテンツについては、放送されてくるエピソード番号を上記シリーズ管理テーブルに登録することを特徴としている。
【００２８】
上記の構成により、一回限りの録画である通常録画か毎回録画するシリーズ録画かに関係なく、シリーズコンテンツについては、放送されてくるエピソード番号を上記シリーズ管理テーブルに登録する。その結果、シリーズコンテンツであるにもかかわらず各エピソードを通常録画にて録画していたコンテンツがもしあれば、そのようなコンテンツについても、シリーズコンテンツとして上記シリーズ管理テーブルに登録、管理される。
【００２９】
したがって、まちがって通常録画してしまった場合でも、後からシリーズコンテンツとして管理できる。それゆえ、上記の構成による効果に加えて、管理をより容易にすることができる。
【００３０】
また、本発明に係るコンテンツ録画再生管理方法は、上記の構成に加えて、どのシリーズコンテンツのどのエピソード番号をいつ放送するかを示す番組付帯情報を放送されて、その中に、シリーズコンテンツを毎回録画するのを予約しておく処理であるシリーズコンテンツ録画予約を行う対象となっているシリーズコンテンツに属し、かつ、未録画のエピソード番号があった場合に、その番組付帯情報に示されている情報に従って録画予約の日時およびチャンネルを設定し、録画予約した旨を上記シリーズ管理テーブルに登録する処理を行うことを特徴としている。
【００３１】
上記の構成により、どのシリーズコンテンツのどのエピソード番号をいつ放送するかを示す番組付帯情報を放送されて、その中に、シリーズコンテンツを毎回録画するのを予約しておく処理であるシリーズコンテンツ録画予約を行う対象となっているシリーズコンテンツに属し、かつ、未録画のエピソード番号があった場合に、その番組付帯情報に示されている情報に従って録画予約の日時およびチャンネルを設定し、録画予約した旨を上記シリーズ管理テーブルに登録する処理を行う。
【００３２】
したがって、シリーズコンテンツを毎回録画することにしているが録画し損なったものがあった場合に、もし、もう一度それがある日時に放送（再放送）されるようなことがあれば、今後の録画予約設定はそのままで、そのエピソードについてはその日時に録画予約することができる。それゆえ、上記の構成による効果に加えて、ユーザが意識しなくても、録画し損なったエピソードを、再放送の機会をとらえてもれなく録画することができる。
【００３３】
また、本発明に係るコンテンツ録画再生管理方法は、上記の構成に加えて、ユーザに提示するための、録画が済んだコンテンツの一覧を表す一覧表として、シリーズコンテンツではないコンテンツについてはコンテンツごとに１件とし、またシリーズコンテンツについてはエピソードごとではなくシリーズコンテンツごとに１件とする一覧表であるコンテンツ一覧表を表示することを特徴としている。
【００３４】
上記の構成により、録画が済んだコンテンツの一覧を表す一覧表として、シリーズコンテンツではないコンテンツについてはコンテンツごとに、またシリーズコンテンツについてはエピソードごとではなくシリーズコンテンツごとに１件（１フィールド）として、一覧表が表示される。
【００３５】
例えば、あるシリーズコンテンツを３回分録画しても、１０回分録画しても、１件として提示する。
【００３６】
したがって、録画済みのシリーズコンテンツの数が大量になった場合でも、同じシリーズコンテンツでエピソード番号が異なるものはエピソード単位ではなくシリーズコンテンツ単位で一覧表示されるので、その分一覧表がコンパクトになり、また同じシリーズコンテンツのエピソード同士が表の各所にちらばることがない。それゆえ、上記の構成による効果に加えて、所望のシリーズコンテンツを容易に選択することができる。
【００３７】
また、本発明に係るコンテンツ録画再生管理方法は、上記の構成に加えて、上記コンテンツ一覧表で、ユーザから選択を受けると、選択されたのが、シリーズコンテンツではないコンテンツであった場合には、そのコンテンツを再生し、選択されたのが、シリーズコンテンツであった場合には、そのシリーズコンテンツで録画済みのもののうちでエピソード番号の最も小さいエピソードから順に再生することを特徴としている。
【００３８】
上記の構成により、上記コンテンツ一覧表で、ユーザから選択を受けると、選択されたのが、シリーズコンテンツではないコンテンツであった場合には、そのコンテンツを再生し、選択されたのが、シリーズコンテンツであった場合には、そのシリーズコンテンツで録画済みのもののうちでエピソード番号の最も小さいエピソードから順に再生する。
【００３９】
したがって、エピソード番号の最も小さいエピソードから順に再生したい場合に、コンテンツ一覧表内をくまなく見て、録画済みでエピソード番号の最も小さいエピソードを見つけ出す作業をしなくても、シリーズコンテンツを選択するだけで、所望の再生が行える。それゆえ、上記の構成による効果に加えて、所望のシリーズコンテンツを容易に選択することができる。
【００４０】
また、本発明に係るコンテンツ録画再生管理方法は、上記の構成に加えて、上記コンテンツ一覧表で、ユーザから選択を受けると、選択されたのが、シリーズコンテンツではないコンテンツであった場合には、そのコンテンツを再生し、選択されたのが、シリーズコンテンツであった場合には、そのシリーズコンテンツで録画済みのエピソードの一覧表であるエピソード一覧表を表示し、上記エピソード一覧表で、ユーザから選択を受けると、選択されたエピソードを再生することを特徴としている。
【００４１】
上記の構成により、上記コンテンツ一覧表で、ユーザから選択を受けると、選択されたのが、シリーズコンテンツではないコンテンツであった場合には、そのコンテンツを再生し、選択されたのが、シリーズコンテンツであった場合には、そのシリーズコンテンツで録画済みのエピソードの一覧表であるエピソード一覧表を表示し、上記エピソード一覧表で、ユーザから選択を受けると、選択されたエピソードを再生する。
【００４２】
したがって、所望のエピソードを再生したい場合に、コンテンツ一覧表内をくまなく見て、録画済みでエピソード番号の最も小さいエピソードを見つけ出す作業をしなくても、シリーズコンテンツを選択し、そのシリーズコンテンツについてのエピソードの一覧表であるエピソード一覧表を見てエピソードを選択するだけで、所望の再生が行える。それゆえ、上記の構成による効果に加えて、所望のシリーズコンテンツを容易に選択することができる。
【００４３】
また、本発明に係るコンテンツ録画再生管理方法は、上記の構成に加えて、エピソード一覧表内でユーザによりエピソードを選択されると、それに合わせて、その選択されたエピソードに関する情報をユーザに提示することを特徴としている。
【００４４】
上記の構成により、エピソード一覧表内でユーザが任意のエピソードを選択すると、それに合わせて、その選択されたエピソードに関する情報をユーザに提示する。
【００４５】
したがって、エピソードを選択するだけで、その内容を表示させる指示を与えなくても、選択したエピソードがどんな内容に関するものかをユーザが容易に把握することができる。それゆえ、上記の構成による効果に加えて、シリーズコンテンツの選択をより容易にすることができる。
【００４６】
また、本発明に係るコンテンツ録画再生管理方法は、上記の構成に加えて、上記エピソード一覧表で、ユーザから選択を受けると、選択されたエピソードから再生を始めて、選択されたエピソードのエピソード番号以上のエピソード番号を持つエピソードをエピソード番号の小さい順に再生することを特徴としている。
【００４７】
上記の構成により、上記エピソード一覧表で、ユーザから選択を受けると、選択されたエピソードから再生を始めて、選択されたエピソードのエピソード番号以上のエピソード番号を持つエピソードをエピソード番号の小さい順に再生する。
【００４８】
したがって、所望のエピソードから順次再生したい場合に、コンテンツ一覧表内をくまなく見て、録画済みでエピソード番号の最も小さいエピソードを見つけ出す作業をしなくても、シリーズコンテンツを選択し、そのシリーズコンテンツについてのエピソードの一覧表であるエピソード一覧表を見てエピソードを選択するだけで、所望の再生が行える。それゆえ、上記の構成による効果に加えて、所望のシリーズコンテンツを容易に選択することができる。
【００４９】
また、本発明に係るコンテンツ録画再生管理方法は、上記の構成に加えて、上記エピソード一覧表で、ユーザから選択を受けると、選択されたエピソードのみ再生することを特徴としている。
【００５０】
上記の構成により、上記エピソード一覧表で、ユーザから選択を受けると、選択されたエピソードのみ再生する。
【００５１】
したがって、所望のエピソードのみを再生したい場合に、コンテンツ一覧表内をくまなく見て、録画済みでエピソード番号の最も小さいエピソードを見つけ出す作業をしなくても、シリーズコンテンツを選択し、そのシリーズコンテンツについてのエピソードの一覧表であるエピソード一覧表を見てエピソードを選択するだけで、所望の再生が行える。それゆえ、上記の構成による効果に加えて、所望のシリーズコンテンツを容易に選択することができる。
【００５２】
また、本発明に係るコンテンツ録画再生管理方法は、上記の構成に加えて、エピソードの再生中に、ユーザから、同じシリーズコンテンツの別のエピソードの再生指示を受けると、指示を受けたシリーズコンテンツのエピソードの先頭から再生を始めることを特徴としている。
【００５３】
上記の構成により、エピソードの再生中に、ユーザから、同じシリーズコンテンツの別のエピソードの再生指示を受けると、指示を受けたシリーズコンテンツのエピソードの先頭から再生を始める。
【００５４】
したがって、エピソードの再生中に、ユーザが、同じシリーズコンテンツの別のエピソードを再生したくなった場合、わざわざコンテンツ一覧表の表示にまで戻ってまたシリーズコンテンツの選択処理から始めなくても、所望のエピソードを指示するだけで、そのエピソードの先頭から再生を始めることができる。それゆえ、上記の構成による効果に加えて、所望のシリーズコンテンツを容易に選択することができる。
【００５５】
また、本発明に係るコンテンツ録画再生管理方法は、上記の構成に加えて、上記ユーザからの、同じシリーズコンテンツの別のエピソードの再生指示が、対象のエピソードのエピソード番号の入力処理であることを特徴としている。
【００５６】
上記の構成により、エピソードの再生中に、ユーザから、同じシリーズコンテンツの別のエピソードの再生指示を受けるが、これが、対象のエピソードのエピソード番号の入力処理である。
【００５７】
例えば、テンキーをハードウエアで用意し、これを指で押し下げたり、テンキーを画面内に用意し、これをクリックしたりすればよい。
【００５８】
したがって、上記の構成による効果に加えて、所望のシリーズコンテンツを容易に選択することができる。
【００５９】
また、本発明に係るコンテンツ録画再生管理方法は、上記の構成に加えて、上記ユーザからの、同じシリーズコンテンツの別のエピソードの再生指示が、エピソード番号を増減させる指示の入力処理であることを特徴としている。
【００６０】
上記の構成により、エピソードの再生中に、ユーザから、同じシリーズコンテンツの別のエピソードの再生指示を受けるが、これが、エピソード番号を増減させる指示の入力処理である。
【００６１】
例えば、今再生しているエピソードのエピソード番号が３であって、右矢印キーを指で１回押し下げれば、エピソード番号４のエピソードが頭から再生され、今再生しているエピソードのエピソード番号が３であって、左矢印キーを指で２回押し下げれば、エピソード番号１のエピソードが頭から再生される。各矢印キーを画面内に用意し、これをクリックするようにしてもよい。
【００６２】
したがって、上記の構成による効果に加えて、所望のシリーズコンテンツを容易に選択することができる。
【００６３】
また、本発明に係るコンテンツ録画再生管理方法は、上記の構成に加えて、シリーズコンテンツのエピソードを再生中に、ユーザから指示を受けると、そのシリーズコンテンツで録画済みのエピソードの一覧表であるエピソード一覧表を表示し、上記エピソード一覧表で、ユーザから選択を受けると、選択されたエピソードを再生することを特徴としている。
【００６４】
上記の構成により、シリーズコンテンツのエピソードを再生中に、ユーザから指示を受けると、そのシリーズコンテンツで録画済みのエピソードの一覧表であるエピソード一覧表を表示し、上記エピソード一覧表で、ユーザから選択を受けると、選択されたエピソードを再生する。
【００６５】
したがって、あるエピソードを再生しているときに、そのシリーズコンテンツの別のエピソードを再生したくなった場合に、コンテンツ一覧表内をくまなく見て、録画済みでエピソード番号の最も小さいエピソードを見つけ出す作業をしなくても、エピソード一覧表を呼び出して、そこでエピソードを選択するだけで、所望の再生が行える。それゆえ、上記の構成による効果に加えて、所望のシリーズコンテンツを容易に選択することができる。
【００６６】
また、本発明に係るコンテンツ録画再生管理方法は、上記の構成に加えて、エピソード一覧表内でユーザによりエピソードを選択されると、それに合わせて、その選択されたエピソードに関する情報をユーザに提示することを特徴としている。
【００６７】
上記の構成により、エピソード一覧表内でユーザが任意のエピソードを選択すると、それに合わせて、その選択されたエピソードに関する情報をユーザに提示する。
【００６８】
したがって、エピソードを選択するだけで、その内容を表示させる指示を与えなくても、選択したエピソードがどんな内容に関するものかをユーザが容易に把握することができる。それゆえ、上記の構成による効果に加えて、シリーズコンテンツの選択をより容易にすることができる。
【００６９】
また、本発明に係るコンテンツ録画再生管理方法は、上記の構成に加えて、上記エピソード一覧表で、ユーザから選択を受けると、選択されたエピソードから再生を始めて、選択されたエピソードのエピソード番号以上のエピソード番号を持つエピソードをエピソード番号の小さい順に再生することを特徴としている。
【００７０】
上記の構成により、上記エピソード一覧表で、ユーザから選択を受けると、選択されたエピソードから再生を始めて、選択されたエピソードのエピソード番号以上のエピソード番号を持つエピソードをエピソード番号の小さい順に再生する。
【００７１】
したがって、所望のエピソードから順次再生したい場合に、再生が終わるたびにエピソード一覧表を呼び出す作業をしなくても、エピソード一覧表を見て１回エピソードを選択するだけで、所望の再生が行える。それゆえ、上記の構成による効果に加えて、所望のシリーズコンテンツを容易に選択することができる。
【００７２】
また、本発明に係るコンテンツ録画再生管理方法は、上記の構成に加えて、上記エピソード一覧表で、ユーザから選択を受けると、選択されたエピソードのみ再生することを特徴としている。
【００７３】
上記の構成により、上記エピソード一覧表で、ユーザから選択を受けると、選択されたエピソードのみ再生する。
【００７４】
したがって、所望のエピソードのみを再生したい場合に、再生が終わるのに合わせて停止指示をしなくても、エピソード一覧表を見て１回エピソードを選択するだけで、所望の再生が行える。それゆえ、上記の構成による効果に加えて、所望のシリーズコンテンツを容易に選択することができる。
【００７５】
また、本発明に係るコンテンツ録画再生管理方法は、上記の構成に加えて、上記コンテンツ一覧表において、ユーザから、シリーズコンテンツの削除指示を受けると、そのシリーズコンテンツに属する録画済みのすべてのエピソードを削除することを特徴としている。
【００７６】
上記の構成により、上記コンテンツ一覧表において、ユーザから、シリーズコンテンツの削除指示を受けると、そのシリーズコンテンツに属する録画済みのすべてのエピソードを削除する。
【００７７】
したがって、ユーザが、あるシリーズコンテンツについて、録画済みのすべてのエピソードを削除したい場合に、対象となるエピソードを一つ一つ選択していくことなく、コンテンツ一覧表においてシリーズコンテンツを選択するだけで、該当のシリーズコンテンツをすべて削除することができる。それゆえ、上記の構成による効果に加えて、不要なシリーズコンテンツの削除処理を容易に行うことができる。
【００７８】
また、本発明に係るコンテンツ録画再生管理プログラムは、コンピュータを上記のコンテンツ録画再生管理装置における記憶部および制御部として機能させるためのプログラムであることを特徴としている。
【００７９】
また、本発明に係るコンテンツ録画再生管理プログラムを格納したコンピュータ読み取り可能な記録媒体は、上記コンテンツ録画再生管理プログラムを記憶したことを特徴としている。
【００８０】
また、本発明にかかるデジタル放送の録画再生が可能な録画再生装置は、番組の放送を受信する受信手段と、受信した放送信号から番組付帯情報を分離する番組付帯情報分離部と、前記番組付帯情報からシリーズ管理テーブル構成内容データを構築するデータ構築手段と、前記構築されたシリーズ管理テーブル構成内容データを記録するシリーズ管理テーブル記録手段と前記構築されたシリーズ管理テーブル内容データ及び再生中のストリームデータに関する情報から表示すべきシリーズリスト表示データを作成し表示する表示手段と、シリーズ録画・再生用のストリームデータを録画・再生する録画再生手段と、前記記録再生手段に対して、録画する録画ストリーム及び読み出す再生ストリームを指定することにより録画ストリーム及び再生ストリームを制御する記録再生制御手段とを備え、前記データ構築手段は、前記番組付帯情報からシリーズ管理テーブル構成内容データを構築する際、一定期間に定期的に放送されるシリーズ番組を識別する情報と、前記録画再生制御手段からの目次情報をもってシリーズ管理テーブル構成内容データを構築することにより、ストリームデータの録画状態を含めたシリーズ管理テーブルを前記シリーズ管理テーブル記録手段に保持するようにしてもよい。
【００８１】
さらに、前記シリーズ番組を識別する情報は、ＳＩ（Ｓｅｒｖｉｃｅ  Ｉｎｆｏｒｍａｔｉｏｎ）情報に含まれるＥＩＴ（Ｅｖｅｎｔ  Ｉｎｆｏｒｍａｔｉｏｎ  Ｔａｂｌｅ）に配置されるシリーズ記述子を用いてもよい。
【００８２】
さらに、前記目次情報は、前記録画再生制御手段が前記録画再生手段に録画した録画ストリームに関する情報で、録画ストリームのファイル名、録画ストリームの録画時間、又は録画ストリームの属性情報を用いてもよい。
【００８３】
さらに、前記データ構築手段は、録画済みシリーズ番組と未録画シリーズ番組とを判定するようにしてもよい。
【００８４】
また、前記録画再生装置において、シリーズ番組を管理するために、シリーズ番組を識別する情報と、シリーズ番組の録画再生手段におけるストリームデータの録画状態と、又はシリーズ番組の録画再生手段における目次情報からシリーズ管理テーブル構成データを構築するようにしてもよい。
【００８５】
さらに、前記デジタル録画再生装置において、前記シリーズ番組を識別する情報とは、シリーズの名前となる番組名、シリーズを識別するシリーズＩＤ、シリーズ内の総話数を表す総エピソード数、又はシリーズの話数を表すエピソード番号を用いてもよい。
【００８６】
さらに、前記録画再生装置において、前記シリーズ番組を識別する情報とは、ＳＩ情報に含まれるＥＩＴに配置されるシリーズ記述子を用いてもよい。
【００８７】
さらに、録画再生装置において、前記ストリームデータの録画状態とは、該当シリーズ番組が録画済み、未録画、又は録画予約済みなどを用いてもよい。
【００８８】
さらに、前記録画再生装置において、前記目次情報とは、該当シリーズ番組が録画再生手段に記録されるのに必要な情報で、録画ストリームファイル名、録画ストリーム録画時間、録画ストリームの属性情報、又はそれらを管理するシリーズ管理テーブルへのポインタを用いてもよい。シリーズ管理テーブルへのポインタとは、録画媒体に録画されたコンテンツの録画位置などの情報を記録したシリーズ管理テーブルが録画媒体上または記憶媒体上に格納された位置（アドレス）である。
【００８９】
さらに、前記録画再生装置において、前記シリーズ管理テーブル構成データは、各シリーズＩＤを録画済み最大話数（エピソード番号）までで構成されてもよい。
【００９０】
さらに、前記録画再生装置において、前記シリーズ管理テーブル構成データは、各シリーズＩＤを総話数までで構成されてもよい。
【００９１】
さらに、前記録画再生装置において、通常録画したコンテンツのシリーズ管理テーブル構成内要データを作成し、新たなシリーズとしてシリーズ管理テーブルに追加するようにしてもよい。
【００９２】
また、前記録画再生装置において、放送に多重されてきた番組付帯情報内のシリーズ情報とシリーズ録画予約しているシリーズ番組のうちまだ予約されていない未録画のシリーズ番組とが一致した場合に録画予約処理を行うようにしてもよい。
【００９３】
さらに、前記録画再生装置において、前記録画予約処理は、番組付帯情報が来るたびに録画予約処理を行うようにしてもよい。
【００９４】
さらに、前記録画再生装置において、前記録画予約処理は、シリーズ番組の放送順序にかかわらず録画予約処理を行うようにしてもよい。
【００９５】
さらに、前記録画再生装置において、前記番組付帯情報内のシリーズ情報とは、シリーズの名前となる番組名、シリーズを識別するシリーズＩＤ、シリーズ内の総話数を表す総エピソード数、又はシリーズの話数を表すエピソード番号を用いるようにしてもよい。
【００９６】
さらに、前記録画再生装置において、前記番組付帯情報内のシリーズ情報とは、ＳＩ情報に含まれるＥＩＴに配置されるシリーズ記述子を用いてもよい。
【００９７】
さらに、前記録画再生装置において、前記シリーズ録画予約とは、一定期間に定期的に放送されるシリーズ番組の録画予約を予約するようにしてもよい。
【００９８】
さらに、前記録画再生装置において、前記シリーズ録画予約されているシリーズ番組は、シリーズ管理テーブルにて管理されるようにしてもよい。
【００９９】
さらに、前記録画再生装置において、前記録画予約処理終了後、シリーズ管理テーブルにおいて該当シリーズ番組に録画予約済みであることを付加するようにしてもよい。
【０１００】
さらに、前記録画再生装置において、前記録画予約実行後、録画が成功した場合にシリーズ管理テーブルにおいて該当シリーズ番組に録画済みであることを付加し、録画に失敗した場合にシリーズ管理テーブルにおいて該当シリーズ番組に未録画であることを付加するようにしてもよい。
【０１０１】
また、前記録画再生装置において、録画済みコンテンツ一覧表において、同一シリーズにおける１つのもしくは複数のシリーズ番組を１つのシリーズコンテンツとして一覧表示するようにしてもよい。
【０１０２】
さらに、前記録画再生装置において、前記シリーズコンテンツとは、シリーズ記述子に記述されているｓｅｒｉｅｓ＿ｉｄが同じであるシリーズ番組の集合としてもよい。
【０１０３】
さらに、前記録画再生装置において、前記一覧表に表示する情報として、未／既視聴情報、タイトル名情報、シリーズ話数情報、録画日時情報、録画時間情報、又は録画チャンネル情報などを用いてもよい。
【０１０４】
さらに、前記録画再生装置において、前記一覧表にて通常コンテンツにおける情報表示内容は、該当コンテンツを視聴済みか判断する未／既視聴情報、該当コンテンツの番組名であるタイトル名情報、該当コンテンツを録画した時の日時情報である録画日時情報、該当コンテンツの録画時間である録画時間情報、該当コンテンツが放送されていたチャンネル情報である録画チャンネル情報を用いてもよい。
【０１０５】
さらに、前記録画再生装置において、前記録画日時情報とは、該当コンテンツの録画開始時の日時、または録画終了時の日時、またその両方を用いてもよい。
【０１０６】
さらに、前記録画再生装置において、前記一覧表にてシリーズ番組における情報表示内容は、該当シリーズコンテンツに含まれるシリーズ番組を少なくとも１つは未視聴か判断する未／既視聴情報、該当シリーズコンテンツのシリーズ番組名であるタイトル名情報、該当シリーズコンテンツの総話数や録画済み話数であるシリーズ話数情報、該当シリーズコンテンツを録画した時の日時情報である録画日時情報、該当シリーズコンテンツの録画時間である録画時間情報、該当シリーズコンテンツが放送されていたチャンネル情報である録画チャンネル情報を用いてもよい。
【０１０７】
さらに、前記録画再生装置において、前記シリーズ話数情報とは、シリーズ記述子に記載されているｅｐｉｓｏｄｅ＿ｎｕｍｂｅｒ（話数）やｌａｓｔ＿ｅｐｉｓｏｄｅ＿ｎｕｍｂｅｒ（総話数）による情報を用いてもよい。
【０１０８】
さらに、前記録画再生装置において、前記録画日時情報とは、シリーズコンテンツの録画開始時の日時と録画終了時の日時を用いてもよい。
【０１０９】
さらに、前記録画再生装置において、前記録画日時情報とは、シリーズコンテンツのうち最後に録画した話数（エピソード番号）の録画開始時の日時、録画終了時の日時、またはその両方を用いてもよい。
【０１１０】
さらに、前記録画再生装置において、前記録画日時情報とは、シリーズコンテンツのうち最初に録画した話数（エピソード番号）の録画開始時の日時、録画終了時の日時、またはその両方を用いてもよい。
【０１１１】
さらに、前記録画再生装置において、前記録画日時情報とは、シリーズコンテンツのうち最新話数（エピソード番号）の録画開始時の日時、録画終了時の日時、またはその両方を用いてもよい。
【０１１２】
さらに、前記録画再生装置において、前記録画日時情報とは、シリーズコンテンツのうち最古話数（エピソード番号）の録画開始時の日時、録画終了時の日時、またはその両方を用いてもよい。
【０１１３】
さらに、前記録画再生装置において、前記録画時間情報とは、シリーズコンテンツ全体の録画時間、最後に録画した話数（エピソード番号）の録画時間、最初に録画した話数（エピソード番号）の録画時間、最新話数（エピソード番号）の録画時間、または最古話数（エピソード番号）の録画時間を用いてもよい。
【０１１４】
また、前記録画再生装置において、録画済みコンテンツ一覧表にてシリーズを選択した時に、シリーズに含まれる話数（エピソード番号）のなかで最も若い話数（エピソード番号）から再生するようにしてもよい。
【０１１５】
さらに、前記録画再生装置において、前記最も若い話数（エピソード番号）とは、選択されたシリーズに含まれる録画済みシリーズ番組におけるシリーズ情報で、エピソード番号が最も小さいシリーズ番組としてもよい。
【０１１６】
さらに、前記録画再生装置において、前記シリーズ情報に含まれるエピソード番号はシリーズ記述子に記述されるｅｐｉｓｏｄｅ＿ｎｕｍｂｅｒを用いてもよい。
【０１１７】
さらに、前記録画再生装置において、前記録画済みコンテンツ一覧にてシリーズを選択した時に、シリーズに含まれる話数（エピソード番号）の一覧表を表示するようにしてもよい。
【０１１８】
さらに、前記録画再生装置において、前記話数（エピソード番号）一覧表に表示される情報は、シリーズ名情報、シリーズ話数情報、または録画済み話数情報を用いてもよい。
【０１１９】
さらに、前記録画再生装置において、前記シリーズ話数情報とは、シリーズ記述子に記載されているｅｐｉｓｏｄｅ＿ｎｕｍｂｅｒ（話数）やｌａｓｔ＿ｅｐｉｓｏｄｅ＿ｎｕｍｂｅｒ（総話数）による情報を用いてもよい。
【０１２０】
さらに、前記録画再生装置において、前記録画済み話数情報とは、録画されている話数（エピソード番号）を表示するものであり、未／既視聴、選択／非選択で色分けするようにしてもよい。
【０１２１】
さらに、前記録画再生装置において、前記話数（エピソード番号）一覧表に表示される情報は、選択される話数（エピソード番号）によって動的に更新されるようにしてもよい。
【０１２２】
さらに、前記録画再生装置において、前記動的に更新される情報とは、該当話数（エピソード番号）のサブタイトル情報、録画日時情報、録画時間情報、または録画チャンネル情報を用いてもよい。
【０１２３】
さらに、前記録画再生装置において、シリーズコンテンツ再生中に、ユーザの指示により任意話数（エピソード番号）へ再生位置を移動するようにしてもよい。
【０１２４】
さらに、前記録画再生装置において、前記任意話数（エピソード番号）へ再生位置の移動とは、シリーズコンテンツ再生中にユーザがリモコンから数値入力をすると、該当する話数（エピソード番号）の先頭から再生処理を行うようにしてもよい。
【０１２５】
さらに、前記録画再生装置において、前記任意話数（エピソード番号）へ再生位置の移動とは、シリーズコンテンツ再生中にユーザがリモコンから左右に割り当てたキー入力をすると、現在再生しているシリーズ話数（エピソード番号）における前後話数（エピソード番号）の先頭から再生処理を行うようにしてもよい。
【０１２６】
さらに、前記録画再生装置において、録画済みコンテンツ一覧表にてシリーズを選択した時に、シリーズに含まれる全ての話数（エピソード番号）を削除するようにしてもよい。
【０１２７】
この発明の録画再生装置に係るシリーズ管理方法は、シリーズ管理テーブルを用いることによって、シリーズコンテンツはシリーズＩＤ、エピソード番号、録画ステータスによって管理されるため、エピソード番号と録画する順序を考慮せずに録画をしても、シリーズコンテンツを連続番組として扱える。
【０１２８】
また、この発明の録画再生装置に係るシリーズコンテンツ録画予約方法は、シリーズＩＤとエピソード番号、録画ステータス情報でシリーズコンテンツを管理しているため、シリーズ録画を開始する話数（エピソード番号）は、例えば第１話である必要はない。
【０１２９】
また、この発明の録画再生装置に係るシリーズコンテンツ録画予約方法は、まだ放送されていない新規話数（エピソード番号）や過去に録画できなかった欠落話数（エピソード番号）に対して、自動的に録画予約処理を行う。
【０１３０】
また、この発明の録画再生装置に係るシリーズコンテンツ録画予約方法は、通常録画で録画したコンテンツを、新たにシリーズ管理テーブル構成内容データを作成することによりシリーズコンテンツとして管理できる。
【０１３１】
また、この発明の録画再生装置に係るシリーズ一覧表示方法は、同一シリーズをまとめて１つのコンテンツとして表示するため、通常コンテンツと一緒に一覧表示できる。
【０１３２】
また、この発明の録画再生装置に係るシリーズ再生方法は、シリーズ一覧表からシリーズを選択して、録画済みで一番若い（エピソード番号の一番小さい）話数（エピソード番号）から再生できる。
【０１３３】
また、この発明の録画再生装置に係るシリーズ再生方法は、シリーズ再生のやり方として、再生を開始した話数（エピソード番号）から録画してある話数（エピソード番号）順に順次再生できる。
【０１３４】
また、この発明の録画再生装置に係るシリーズ再生方法は、シリーズ一覧表からシリーズを選択して、シリーズに含まれる録画済み話数情報を表示し、その中から話数（エピソード番号）を選択して再生できる。
【０１３５】
また、この発明の録画再生装置に係るシリーズ再生方法は、シリーズコンテンツ再生中に任意の話数（エピソード番号）へ再生位置を移動できる。
【０１３６】
また、この発明の録画再生装置に係るシリーズ再生方法は、シリーズ一覧表から特定のシリーズコンテンツを選択してそのシリーズコンテンツを一括消去できる。
【０１３７】
【発明の実施の形態】
図１はこの発明に係るＢＳデジタル放送受信機の概略構成を示すブロック図である。ここでは以下デジタル放送の例としてＢＳデジタル放送を用いて説明を行うが、ＣＳデジタル放送や地上波で放送される地上波デジタル放送等のいわゆるデジタル放送においても、この発明は実施可能である。
【０１３８】
ここでは、放送される番組のデジタル放送信号を記録する記録媒体として、ハードディスクやＤＶＤなどの光ディスクなどを用いた映像録画再生装置について説明する。
【０１３９】
本実施の形態の概要を述べると、本実施形態では、シリーズ管理テーブルを用いることによって、シリーズコンテンツを、シリーズＩＤ、エピソード番号、録画ステータスによって管理するようになっている。シリーズコンテンツとは、ここでは、一定期間に定期的（例えば毎週日曜日午後７時から午後８時まで、など）に放送される番組（シリーズ番組）である。シリーズＩＤとは、各シリーズコンテンツに固有の識別子である。エピソード番号とは、各シリーズコンテンツの、各回に固有の識別子である。そして、各シリーズコンテンツについて、シリーズＩＤの同じものについてはそれを一つとして一覧表示する。また、エピソード番号ごとに記録済みかどうかを記録しておき、未録画ならば次回の放送の機会に確実に予約録画する。また、録画順序に関係なく、エピソード番号の古い順に再生できるようになっている。
【０１４０】
図１において、録画再生装置（コンテンツ録画再生管理装置）は、選局されている番組の放送を受信する受信部１０１と、受信した放送信号に多重化されている番組付帯情報を分離する番組付帯情報分離部１０２と、番組付帯情報にあるシリーズに関する情報であるシリーズ情報からシリーズ管理テーブルを構築するシリーズ管理テーブル構築部１０３と、構築したシリーズ管理テーブル構成内容データを記録・保持するシリーズ管理テーブル構成内容データ記録処理を行うシリーズ管理テーブル記録部１０４と、構築されたシリーズ管理テーブル構成内容データ及び記録の状態に関する情報から表示すべきコンテンツリストデータを作成し表示するシリーズリスト表示部１０５と、ストリームデータの記録／再生を制御する記録再生制御部１０６と、ストリームデータの記録（録画）媒体への書き込み及び記録（録画）媒体からの読み出しを行う記録再生部１０７と、ストリームデータのデコード処理を行うデコード部１０８と、デコードされた映像信号とコンテンツリスト表示とを重ね合わせて表示する多重化部１０９と、シリーズとして録画されているコンテンツから任意のコンテンツを選択し、記録再生制御部に再生開始指示を送るシリーズ選択部１１０とを備えて構成される。なお、各種表示は、例えば録画した画像を映す機器の画像表示用の画面（図示せず）や、それとは別に設けた表示パネル（図示せず）などを用いて行えばよい。
【０１４１】
シリーズ管理テーブル構築部１０３、シリーズリスト表示部１０５、記録再生制御部１０６、シリーズ選択部１１０は、例えば、パーソナルコンピュータのＣＰＵ（中央制御装置）およびコンテンツ録画再生管理プログラムによって制御部として実現される機能モジュールとすることができる。このコンテンツ録画再生管理プログラムは、フレキシブルディスクなどの記録媒体に記録したり、インターネットなどで通信回線経由でダウンロードしたりするなどして利用可能である。シリーズ管理テーブル記録部１０４（記憶部）は、例えば、録画データを書き込むのとは別または同一のハードディスクなどの外部記憶装置である。これら制御部および記憶部によってコンテンツ録画再生管理装置が構成されている。
【０１４２】
図１において、受信部１０１は放送信号Ｓ１０１を受信し、特定の１つ又は複数の番組放送を選択し、次処理にて利用可能な放送ストリームＳ１０２とする処理部であり、放送を受信するアンテナ及び受信信号を選択するチューナー及び番組を前処理するデスクランブラ等により構成される。受信部１０１で受信した放送ストリームＳ１０２は、図２に示すように番組付帯情報が多重化されて送信されている。図２（ａ）および図２（ｂ）は、放送ストリーム構成を示す図であり、この図に示すように、放送ストリームは映像、音声、番組付帯情報の各パケットを有し、この番組付帯情報パケットはヘッダと情報からなる。ここで、ＢＳデジタル放送における番組付帯情報はＳＩ（Ｓｅｒｖｉｃｅ  Ｉｎｆｏｒｍａｔｉｏｎ）情報に相当する。
【０１４３】
また、図２（ｂ）に示すように、前記シリーズ情報は、シリーズ記述子の記述にあるｓｅｒｉｅｓ＿ｉｄ（シリーズＩＤ）、ｅｐｉｓｏｄｅ＿ｎｕｍｂｅｒ（エピソード番号）、ｌａｓｔ＿ｅｐｉｓｏｄｅ＿ｎｕｍｂｅｒ（総エピソード数）、ｓｅｒｉｅｓ＿ｎａｍｅ＿ｃｈａｒ（番組名）であってもよい。
【０１４４】
番組付帯情報分離部１０２では、受信した放送信号に多重化されている番組付帯情報Ｓ１０３を分離し、分離した番組付帯情報Ｓ１０３をシリーズ管理テーブル構築部１０３に送るとともに、記録ストリームＳ１０６を記録再生制御部１０６に送る。
【０１４５】
シリーズ管理テーブル構築部１０３では、番組付帯情報Ｓ１０３からシリーズ管理テーブル構成内容データＳ１０４を構築し、シリーズ管理テーブル記録部１０４により、構築したシリーズ管理テーブル構成内容データを記録（保持）する。
【０１４６】
また、シリーズ管理テーブル構築部１０３は、記録再生制御部１０６から目次情報（録画ストリームファイル名、録画ストリーム録画時間、録画ストリームの属性、又はそれらを管理するシリーズ管理テーブルへのポインタなど）Ｓ１１５を取得して、シリーズ管理テーブル構成内容データとして保持している各コンテンツの情報（番組名、シリーズＩＤ、エピソード番号）から再生可能なコンテンツを判定し、構築したシリーズ管理テーブル構成内容データ内の各コンテンツに、再生可能かどうかを表す録画ステータス情報を付加する。
【０１４７】
一方、受信部１０１で受信した放送ストリームＳ１０２から番組付帯情報分離部１０２にて分離した記録ストリームＳ１０６は、記録再生制御部１０６に送られ、記録再生部１０７で記録デバイスへの記録を行う。また、記録再生制御部１０６は、記録再生部１０７によって記録デバイスから読み出された記録・再生ストリームＳ１０７をデコード部１０８へ送る。記録再生制御部１０６は、記録再生部１０７に対して、読み出す再生ストリームを指定することにより、再生ストリームを制御する。また、再生ストリームの読み出し間隔や読み出し単位を指定することによって早送り／早戻し再生の制御を行う。
【０１４８】
デコード部１０８では、記録再生制御部１０６から受信した再生ストリームＳ１０８を復号処理して映像データＳ１１０を作成する。映像データＳ１１０は多重化部１０９により他表示と多重化され映像出力Ｓ１１２として出力される。
【０１４９】
録画したシリーズの一覧表を表示する場合、シリーズリスト表示部１０５はシリーズ管理テーブル構築部１０３からシリーズ管理テーブル構成内容データＳ１０５を取得するのと同時に、シリーズを再生中の場合は記録再生制御部１０６から現在再生中の目次情報（再生ストリームファイル名など）Ｓ１１１を取得する。シリーズリスト表示部１０５では、これらの情報から、録画済み／未録画や視聴中といった情報を含めたシリーズリスト表示用データＳ１０９を構成することが可能である。また、シリーズ番組が再生可能か予約可能かといった属性から、シリーズ番組の再生可能／予約可能である番組が識別できる表示方式（背景色、枠形状の変更等）としてシリーズリストを表示用に構成する。構成されたシリーズリスト表示用データＳ１０９は、多重化部１０９によって映像データＳ１１０に多重化され映像出力Ｓ１１２として表示部に出力される。
【０１５０】
表示されたシリーズリストにおいて、シリーズ番組が再生可能である番組が選択決定動作等により指定されたことをシリーズリスト表示部１０５により検出した場合、シリーズリスト表示部１０５よりシリーズ選択部１１０へシリーズ選択情報Ｓ１１３が通知される。シリーズ選択部１１０は、この情報からシリーズ再生選択情報（再生ストリームファイル名など）Ｓ１１４を特定し、記録再生制御部１０６へ通知する。
【０１５１】
記録再生制御部１０６は前述の方法により、シリーズ再生選択情報に該当する再生ストリームを読み出すように再生制御を行う。読み出されたシリーズ再生の再生ストリームは前述の手段によりデコードされ出力される。
【０１５２】
続いて、この発明のデジタル録画再生装置におけるシリーズコンテンツ管理方法、シリーズコンテンツ録画予約方法、シリーズ一覧表示選択方法、シリーズ再生方法のそれぞれについて説明する。
【０１５３】
（シリーズコンテンツ管理方法）
シリーズを管理するシリーズ管理テーブルの構成について説明する。
【０１５４】
図３は、シリーズ管理テーブルの一例である。このシリーズ管理テーブル３０１は、シリーズを管理するためのもので、各々のシリーズや話数（エピソード番号）を特定する情報として、シリーズの名前となる番組名３０２、シリーズを識別するシリーズＩＤ３０３、シリーズ内の総話数を表す総エピソード数３０４、シリーズ内の話数を表すエピソード番号３０５などのシリーズ情報と、コンテンツの録画状態を示す録画ステータス情報３０６（録画済み・未録画・録画予約など）、ハードディスクに記録されたコンテンツの情報として目次情報３０７などから構成される。
【０１５５】
この目次情報３０７は、録画されているコンテンツにかかる情報で、コンテンツのファイル名や、録画時間、コンテンツの属性などから構成される。
【０１５６】
図３の例では、目次情報３０７は、録画媒体上の録画位置などを含む情報であり、「０５０」や「０６０」は、この録画媒体上の録画位置などを含む情報が、録画媒体や記憶媒体等に格納されている位置（アドレス）である。
【０１５７】
このシリーズ管理テーブルは、番組を録画したハードディスク等の媒体（録画媒体）中に格納してもよく、また、メモリ等の記憶媒体中に格納してもよい。
【０１５８】
ここでは、シリーズ管理テーブルは一つだけ用意し、シリーズ管理テーブル内の目次情報３０７の値である０５０、０６０、・・・が示す位置（アドレス）に各録画済みエピソードの録画位置情報を格納するようにしている。他の例として、録画済みエピソードの個数分だけシリーズ管理テーブルを用意し、各シリーズ管理テーブルに上記目次情報を一つずつ記録するようにしてもよい。
【０１５９】
シリーズ管理テーブル３０１では、シリーズの番組名ドラマＡのシリーズＩＤが１、番組名ドラマＢのシリーズＩＤが２として、それぞれ記録されている。
【０１６０】
エピソード番号３０５とシリーズ内の話数は一対一で対応しているため、シリーズＩＤ１のシリーズドラマＡにおける第１話コンテンツＡ−１と、第２話コンテンツＡ−２と、第３話コンテンツＡ−３と、第４話コンテンツＡ−４とが、それぞれエピソード番号１，２，３，４として、またそれぞれの録画ステータス情報が録画済みとして記録されており、エピソード番号１のコンテンツＡ−１の目次情報が０５０、エピソード番号２のコンテンツＡ−２の目次情報が０６０、エピソード番号３のコンテンツＡ−３の目次情報が０７０、エピソード番号４のコンテンツＡ−４の目次情報が０８０として記録されていることが示されている。
【０１６１】
また、シリーズＩＤ２のシリーズドラマＢにおける第１話コンテンツＢ−１と、第２話コンテンツＢ−２と、第３話コンテンツＢ−３とがそれぞれエピソード番号１，２，３として、エピソード番号１のコンテンツＢ−１、エピソード番号３のコンテンツＢ−３について、録画ステータス情報が録画済み、それぞれの目次情報が１００，１２０として記録されており、エピソード番号２のコンテンツＢ−２については、録画ステータス情報が未録画、目次情報は録画ステータス情報が未録画のため記録されていないことが示されている。
【０１６２】
図３では、録画済み最大話数（エピソード番号）までをシリーズ管理テーブルにて管理していたが、シリーズ記述子に記述されているｌａｓｔ＿ｅｐｉｓｏｄｅ＿ｎｕｍｂｅｒ（総エピソード数）から総話数情報を取得し、総話数で管理してもよい。図４にその一例を示す。図４は、この発明の録画再生装置に係るシリーズＩＤ、エピソード番号、録画ステータス情報を管理するシリーズ管理テーブルの一例である。シリーズの番組名ドラマＡのシリーズＩＤが１、番組名ドラマＢのシリーズＩＤが２として、それぞれ記録されている。エピソード番号３０５とシリーズ内の話数は一対一で対応しているため、シリーズＩＤ１のシリーズドラマＡにおける第１話コンテンツＡ−１と、第２話コンテンツＡ−２と、第３話コンテンツＡ−３と、第４話コンテンツＡ−４と、第５話コンテンツＡ−５と、第６話コンテンツＡ−６とが、それぞれエピソード番号１，２，３，４，５，６として、またエピソード番号１のコンテンツＡ−１ないしエピソード番号４のコンテンツＡ−４の録画ステータス情報が録画済み、それぞれの目次情報が０５０，０６０，０７０，０８０として記憶されており、エピソード番号５のコンテンツＡ−５ないしエピソード番号６のコンテンツＡ−６の録画ステータス情報が未録画、それぞれの目次情報は録画ステータス情報が未録画のため記録されていないことが示されている。
【０１６３】
また、シリーズＩＤ２のシリーズドラマＢにおける第１話コンテンツＢ−１と、第２話コンテンツＢ−２と、第３話コンテンツＢ−３と、第４話コンテンツＢ−４と第５話コンテンツＢ−５とがそれぞれエピソード番号１，２，３，４，５，６として、エピソード番号１のコンテンツＢ−１、エピソード番号３のコンテンツＢ−３について、録画ステータス情報が録画済み、それぞれの目次情報が１００，１２０として記憶されており、エピソード番号２のコンテンツＢ−２及び第４話コンテンツＢ−４ないし第６話コンテンツＢ−６については、録画ステータス情報が未録画、目次情報は録画ステータス情報が未録画のため記憶されていないことが示されている。
【０１６４】
また、シリーズコンテンツであるにもかかわらず、各エピソードを１回だけ録画する通常録画にて録画していたようなコンテンツが一つまたは複数もしあれば、そのようなコンテンツについて、シリーズ管理テーブル構成内容データを作成し、新たにシリーズコンテンツとしてシリーズ管理テーブルに追加してもよい。その場合、あらかじめ、ユーザが通常録画と設定するかシリーズ録画と設定するかに関係なく、シリーズコンテンツであればどの番組でも必ず、録画したときには、番組付帯情報に含まれているエピソード番号を自動的に記憶するように設定しておけばよい。そうすれば、上記のようにあるエピソードを１回だけ録画した場合でも、コンテンツ録画再生管理装置に、シリーズ管理テーブルにそのエピソード番号を「録画済み」として登録させることができ、また、同じシリーズコンテンツの未録画のエピソードがどれであるか調べさせて番組付帯情報内でみつかれば録画予約するように動作させることができる。あるいは、ユーザが手動で、録画したエピソードのエピソード番号を調べて入力してもよい。
【０１６５】
（シリーズコンテンツ録画予約方法）
シリーズ録画の予約方法について説明する。
【０１６６】
ユーザは、ＥＰＧ（電子番組表（Ｅｌｅｃｔｒｉｃ  Ｐｒｏｇｒａｍ  Ｇｕｉｄｅ））などの放送予定番組の一覧表などから、録画予約したいシリーズの番組を選択する。録画再生装置は、ユーザに選択されたシリーズを録画予約手段（特に図示しない）を用い、録画予約を行う。
【０１６７】
ここでされる録画予約は、その１回だけ録画する通常録画予約をするのか、もしくはシリーズを順次録画するシリーズ録画予約をするのか、ユーザに選択させてもよい。また、シリーズを選択して録画予約の操作をした場合、自動的にシリーズ録画予約としてもよい。
【０１６８】
シリーズ録画予約を行う際に必要な情報として、予約するシリーズのシリーズＩＤやエピソード番号、録画ステータス情報などが含まれていてもよい。
【０１６９】
つづいて、シリーズ録画予約をユーザから指示された時の、未録画のシリーズの録画予約方法について説明する。
【０１７０】
図４のシリーズ管理テーブルに登録されているシリーズは、シリーズ録画予約されているとする。
【０１７１】
図５は、この発明の録画再生装置に係る前記シリーズ管理テーブル４０１におけるシリーズ予約録画実行前とシリーズ予約録画成功後のシリーズ管理テーブルの一例である。
【０１７２】
図６は、この発明の録画再生装置に係る未録画シリーズの録画予約フローの一例である。
【０１７３】
図７は、放送に多重されてきた番組付帯情報内のシリーズ情報の一例である。
【０１７４】
放送に多重されてきた番組付帯情報内のシリーズ情報７０１には、シリーズＩＤ２についてはエピソード番号２，３，シリーズＩＤ５についてはエピソード番号１，２，３，シリーズＩＤ８についてはエピソード番号４が含まれている。
【０１７５】
録画再生装置は、前記シリーズ情報７０１を受信する（ステップＳＴ６０１）。
【０１７６】
シリーズ録画予約されているシリーズＩＤが、受信したシリーズ情報内シリーズＩＤに含まれているかを検索する（ステップＳＴ６０２）。シリーズＩＤ、エピソード番号、録画ステータス情報を管理するシリーズ管理テーブル４０１における前記シリーズＩＤは番組名ドラマＡのシリーズＩＤ１、ドラマＢのシリーズＩＤ２である。前記シリーズ情報７０１には、シリーズＩＤ２，５，８が含まれているので、検出されるシリーズＩＤは２である。
【０１７７】
前記シリーズ情報７０１に該当するシリーズＩＤが含まれていた場合（ステップＳＴ６０２−ＹＥＳ）は、シリーズ管理テーブル４０１内未録画エピソード番号が前記シリーズ情報７０１内該当シリーズＩＤのエピソード番号に含まれているか検索する（ステップＳＴ６０３）。
【０１７８】
シリーズ管理テーブル４０１内未録画エピソード番号はシリーズＩＤ２のエピソード番号２，４ないし６である。一方、シリーズ情報７０１においては、該当シリーズＩＤ２のシリーズ記述子７０２ないし７０３に示されている通り、含まれているエピソード番号は２，３である。
【０１７９】
未録画エピソード番号と受信エピソード番号の比較を行い（ステップＳＴ６０４）、一致した場合（ステップＳＴ６０４−ＹＥＳ）は、そのシリーズについて録画予約処理を行う（ステップＳＴ６０５）。前記シリーズ管理テーブル４０１とシリーズ情報７０１との比較結果より、シリーズＩＤ２エピソード番号２のコンテンツの録画予約処理を行う。録画予約処理が終わると、図５（ａ）に示すように、シリーズ管理テーブル４０１のシリーズＩＤ２エピソード番号２の録画ステータス情報を録画予約に変更する。
【０１８０】
このように、話数（エピソード番号）の順序を考慮することなく、シリーズ番組の放送がある度にシリーズ録画予約が行われる。
【０１８１】
録画予約処理の手順については、従来と同一であるため特に説明しない。
【０１８２】
録画予約処理終了後、または比較結果が一致しなかった場合（ステップＳＴ６０４−ＮＯ）は、全未録画エピソード番号について受信エピソード番号と比較を行ったか検索（ステップＳＴ６０６）し、まだ比較していないエピソード番号があった場合（ステップＳＴ６０６−ＮＯ）、ステップＳＴ６０４へ戻る。全未録画エピソード番号について比較済みであった場合（ステップＳＴ６０６−ＹＥＳ）、または番組付帯情報内に該当するシリーズＩＤが含まれていなかった場合（ステップＳＴ６０２−ＮＯ）は、全シリーズ録画予約中のシリーズＩＤと受信したシリーズＩＤを比較したか検索する（ステップＳＴ６０６）。
【０１８３】
まだ比較していないシリーズＩＤが検出された場合（ステップＳＴ６０６−ＹＥＳ）は、（ステップＳＴ６０２）に戻る。
【０１８４】
全シリーズ録画予約シリーズＩＤについて比較した場合（ＳＴ６０７−ＹＥＳ）は、シリーズ録画予約処理を終了し、次の番組付帯情報の受信を待つ。このとき、次の番組付帯情報を受信したらすぐにシリーズ録画予約処理を行ってもよい。
【０１８５】
前記シリーズ予約録画の実行について、説明する。
【０１８６】
図８は、この発明の録画再生装置に係るシリーズ予約録画の実行に関するフロー図である。
【０１８７】
予約が設定されたシリーズの番組開始時刻になると、録画再生装置は予約録画処理を開始する（ステップＳＴ８０１）。予約録画処理終了後（ステップＳＴ８０２）、録画処理が正常に終了したか判定する（ステップＳＴ８０３）。録画が正常に終了していた場合（ＳＴ８０３−ＹＥＳ）は、シリーズＩＤ、エピソード番号、録画ステータス情報を管理するシリーズ管理テーブルの該当するシリーズＩＤ・エピソード番号の録画ステータス情報を録画済みにする。前記シリーズ録画予約においては、シリーズ管理テーブル４０１の状態からシリーズＩＤ２・エピソード番号２の番組をシリーズ録画予約し、録画に成功したので、シリーズ管理テーブル５０１は、図５（ｂ）に示すように、シリーズＩＤ２・エピソード番号２の録画ステータス情報を録画済みに変更したシリーズ管理テーブル５０２となる。
【０１８８】
受信障害やＡＣ電源オフ状態などによって録画に失敗した場合（ステップＳＴ８０２−ＮＯ）は、図４に示すように、シリーズ管理テーブルの該当するシリーズＩＤ・エピソード番号の録画ステータス情報を未録画のままにしておき、再び放送があるのを待つようにする（ステップＳＴ８０４）。前記シリーズ録画予約においては、シリーズ管理テーブル４０１の状態からシリーズＩＤ２・エピソード番号２の番組をシリーズ録画予約し、録画に失敗したので、シリーズ管理テーブル５０１はシリーズＩＤ２・エピソード番号２の録画ステータス情報を未録画に変更したシリーズ管理テーブル４０１となる。
【０１８９】
ここでは、シリーズ録画予約に関して説明したが、シリーズＩＤなどでコンテンツが特定できるならば、通常録画にて用いても構わない。
【０１９０】
（シリーズ一覧表示選択方法）
録画済みシリーズの選択方法について説明する。
【０１９１】
図９は、この発明の録画再生装置に係る録画済みコンテンツの一覧表（コンテンツ一覧表）の一例である。この一覧表９０１は、各シリーズコンテンツのうち、録画済み分を、シリーズとして管理していない通常コンテンツと同様に表示するもので、シリーズコンテンツを１つのコンテンツとして一覧表示している。ここでのシリーズコンテンツとは、ＥＩＴに配置されるシリーズ記述子に記述されているｓｅｒｉｅｓ＿ｉｄが同じコンテンツのことを指す。この例では、一覧表に表示するコンテンツ（シリーズコンテンツ）の情報として、未／既視聴情報９０２、タイトル（シリーズ）名情報９０３、シリーズ話数情報９０４、録画日時情報９０５、録画時間情報９０６、録画チャンネル情報９０７などがある。
【０１９２】
通常コンテンツにおける各情報の意味について説明する。
【０１９３】
未／既視聴情報９０２は、ユーザが録画したコンテンツを一度でも視聴（再生）したかどうかを判断する情報である。未視聴の場合に『ＮＥＷ』等のアイコンマークなどを表示してもよい。
【０１９４】
タイトル名情報９０３は、録画したコンテンツの番組名などの情報である。シリーズ記述子に記述されているｓｅｒｉｅｓ＿ｎａｍｅ＿ｃｈａｒを利用してもよい。
【０１９５】
シリーズ話数情報９０４は、シリーズコンテンツではないので何も情報がない。この場合は、０もしくは空欄などにしてもよい。
【０１９６】
録画日時情報９０５は、コンテンツを録画した時の日付・時刻情報である。これは、録画開始時の日時でもよいし、録画終了時の日時でもよいし、またその両方でもよい。
【０１９７】
録画時間情報９０６は、録画したコンテンツの録画時間である。ここは、時分秒単位表示でもよいし、分単位表示でもよい。
【０１９８】
録画チャンネル情報９０７は、録画したコンテンツが放送されていたチャンネルを識別するものである。これはＥＩＴに記述されているｓｅｒｖｉｃｅ＿ｉｄでもよいし、放送事業者を識別するアイコン等でもよい。
【０１９９】
次に、シリーズコンテンツにおける各情報の意味について説明する。
【０２００】
未／既視聴情報９０２は、ユーザが録画したシリーズコンテンツについて、少なくとも一度は視聴（再生）したかどうかを判断する情報である。未視聴のコンテンツがあった場合に『ＮＥＷ』等のアイコンマークなどを表示してもよい。
【０２０１】
タイトル名情報９０３は、録画したシリーズコンテンツの番組名などの情報である。シリーズ記述子に記述されているｓｅｒｉｅｓ＿ｎａｍｅ＿ｃｈａｒを利用して表示してもよい。
【０２０２】
シリーズ話数情報９０４は、録画したシリーズコンテンツのコンテンツ数（録画話数）やシリーズコンテンツの総コンテンツ数（総話数）などの情報である。シリーズ記述子に記述されているｅｐｉｓｏｄｅ＿ｎｕｍｂｅｒやｌａｓｔ＿ｅｐｉｓｏｄｅ＿ｎｕｍｂｅｒを利用して表示してもよい。この際、録画話数／総話数といった表示が可能となる。
【０２０３】
録画日時情報９０５は、シリーズコンテンツを録画した時の日付・時刻情報である。これは、シリーズコンテンツの録画開始時の日時と録画終了時の日時でもよい。また、シリーズコンテンツのうち最後に録画した話数（エピソード番号）の録画開始時の日時でもよいし、録画終了時の日時でもよいし、またその両方でもよい。また、シリーズコンテンツのうち最初に録画した話数（エピソード番号）の録画開始時の日時でもよいし、録画終了時の日時でもよいし、またその両方でもよい。また、シリーズコンテンツのうち最新話数（エピソード番号）の録画開始時の日時でもよいし、録画終了時の日時でもよいし、またその両方でもよい。また、シリーズコンテンツのうち最古話数（エピソード番号）の録画開始時の日時でもよいし、録画終了時の日時でもよいし、またその両方でもよい。録画時間情報は、録画したシリーズコンテンツの録画時間である。これは、シリーズコンテンツ全体の録画時間でもよい。また、最後に録画した話数（エピソード番号）の録画時間でもよい。また、最初に録画した話数（エピソード番号）の録画時間でもよい。また、最新話数（エピソード番号）の録画時間でもよい。また、最古話数（エピソード番号）の録画時間でもよい。時間の表示方法は、時分秒単位表示でもよいし、分単位表示でもよい。
【０２０４】
チャンネル情報は、録画したコンテンツが放送されていたチャンネルを識別するものである。これはＥＩＴに記述されているｓｅｒｖｉｃｅ＿ｉｄでもよいし、放送事業者を識別するアイコン等でもよい。複数のチャンネルから録画を行っている場合は、一番多いチャンネル、一番少ないチャンネルなど様々な状況が考えられるが、どのチャンネル情報を表示してもよい。
【０２０５】
また、シリーズコンテンツの一覧表表示方法として、ＥＰＧへ組み込んだ表示方法を説明する。
【０２０６】
図１０は、この発明の録画再生装置に係るＥＰＧへ組み込んだシリーズコンテンツ一覧表示（エピソード一覧表）の一例である。
【０２０７】
従来のＥＰＧとしては、通常は時間軸×チャンネル軸の組み合わせの番組表、もしくはジャンル別に検索した結果を時間軸×チャンネル軸の組み合わせなどで表示し、ユーザに情報を提供していた。一方、ここで説明するシリーズコンテンツ表示方法は、シリーズコンテンツの情報を、録画しているかどうかにかかわらず番組付帯情報内から検索し、その結果をシリーズ（コンテンツ）軸（縦軸）×話数（エピソード番号）（横軸）で表示するものである。なお、これと、従来のＥＰＧとをともに表示してもよい。
【０２０８】
図１１は、この発明の録画再生装置に係るＥＰＧへ組み込んだシリーズコンテンツ一覧表示におけるシリーズコンテンツ選択による再生／録画方法のフロー図である。図１２は、この発明の録画再生装置に係るＥＰＧへ組み込んだシリーズコンテンツ一覧表示におけるシリーズの再生／録画方法のフロー図である。
【０２０９】
図１０に示す、ＥＰＧへ組み込んだシリーズコンテンツ一覧表１００１は、タイトル（シリーズ）名１００２軸と話数（エピソード番号）１００３軸から構成されている。
【０２１０】
タイトル名１００２は、各シリーズコンテンツについている番組名である。話数（エピソード番号）１００３は、各シリーズコンテンツの話数（エピソード番号）である。ここで、録画されているシリーズと録画されていないシリーズは色分けされていてもよい。また、録画されている話数（エピソード番号）と録画されていない話数（エピソード番号）は色分けされていてもよい。また、シリーズや話数（エピソード番号）を選択するためのカーソルがあってもよい。また、シリーズや話数（エピソード番号）を選択したときに選択されたシリーズや話数（エピソード番号）は色分けされてもよい。また、画面内に選択したシリーズ／話数（エピソード番号）情報１００４が表示されてもよい。この情報１００４の内容は、動的に更新される。すなわち、ユーザがカーソルを動かしたりポインティングデバイスでクリックしたりしてエピソード番号を選択するたびに、該当するエピソードの内容が表示されるように、情報１００４の内容が入れ替わるということである。表示されるシリーズの情報としては、シリーズ名１００５、録画話数やシリーズ総話数といったシリーズ話数情報１００６、チャンネル情報１００７、視聴するのにかかる時間や視聴終了予定時刻といった時間情報１００８などでもよい。また、表示される話数（エピソード番号）の情報としては、シリーズ名１００５、選択話数（エピソード番号）やシリーズ総話数といったシリーズ話数情報１００６、チャンネル情報１００７、話数（エピソード番号）毎のサブタイトル１００９、録画済み話数（エピソード番号）コンテンツならば録画した日時、未録画話数（エピソード番号）コンテンツならば次回放送予定日や録画予定日などの時間情報１００８などを表示してもよい。
【０２１１】
続いて、前記シリーズコンテンツ一覧表示におけるシリーズコンテンツ選択による再生／録画方法を、図１１を用いて説明する。
【０２１２】
前述の図９に示すシリーズコンテンツ一覧表示において、ユーザがシリーズを選択し再生指示の決定操作を行う（ステップＳＴ１１０１）と、録画再生装置は、選択されたシリーズコンテンツに録画済み話数（エピソード番号）があるか検索する（ステップＳＴ１１０２）。録画済み話数（エピソード番号）があった場合（ステップＳＴ１１０２−ＹＥＳ）、録画済み話数（エピソード番号）の中から、最も話数（エピソード番号）の若い（すなわち、最もエピソード番号の小さい）話数（エピソード番号）を検索する（ステップＳＴ１１０３）。最も若い話数（エピソード番号）が検索されると、その話数（エピソード番号）から再生処理を開始する（ステップＳＴ１１０５）。コンテンツ再生処理が終了（ステップＳＴ１１０６）したら、録画済み話数（エピソード番号）の中から再生していた話数（エピソード番号）の次に若い（すなわち、２番目にエピソード番号の小さい）話数（エピソード番号）のコンテンツを検索する（ステップＳＴ１１０７）。（ステップＳＴ１１０７）で話数（エピソード番号）が検出された場合（ステップＳＴ１１０８―ＹＥＳ）は、（ステップＳＴ１１０５）に戻り、検出された話数（エピソード番号）について再生処理を行う。ステップＳＴ１１０７で話数（エピソード番号）が検出されなかった場合（ステップＳＴ１１０８―ＮＯ）は、シリーズ再生を終了する。選択されたシリーズコンテンツが未録画シリーズであった場合、選択されたシリーズコンテンツのシリーズ録画予約処理を行う（ステップＳＴ１１０４）。
【０２１３】
続いて、前記シリーズコンテンツ一覧表示におけるシリーズ選択による再生／録画方法を、図１２を用いて説明する。
【０２１４】
前述の図１０に示すシリーズコンテンツ一覧表示において、ユーザが話数（エピソード番号）を選択し決定操作を行う（ステップＳＴ１２０１）と、録画再生装置は、選択された話数（エピソード番号）が録画済みであるかどうか検索する（ステップＳＴ１２０２）。選択した話数（エピソード番号）が録画済みであった場合（ステップＳＴ１２０２−ＹＥＳ）、再生処理を行う（ステップＳＴ１２０３）。再生処理（ステップＳＴ１２０３）は、次のような処理がある。
【０２１５】
１つは、選択された話数（エピソード番号）から話数（エピソード番号）順に再生処理を行う。
【０２１６】
１つは、選択された話数（エピソード番号）のみの再生処理を行う。
【０２１７】
選択した話数（エピソード番号）が未録画であった場合（ステップＳＴ１２０３−ＮＯ）、予約処理を行う（ステップＳＴ１２０４）。予約処理（ステップＳＴ１２０４）には、次のような処理がある。
１つは、選択コンテンツの録画予約処理を行う。
１つは、選択コンテンツのシリーズ録画予約処理を行う。
１つは、選択コンテンツの次回放送情報を表示する。
１つは、選択コンテンツの録画予約情報を表示する。
【０２１８】
ここでは、シリーズ一覧表示方法及びシリーズ一覧表示におけるシリーズコンテンツ／シリーズ選択による再生／録画予約方法について、シリーズ／シリーズコンテンツが録画されているかにかかわらず表示及び実行する例で説明してきたが、この動作は、録画されているものに限ってもよいし、録画されていないものに限ってもよい。
【０２１９】
（シリーズ再生方法）
シリーズコンテンツの再生方法について説明する。
【０２２０】
シリーズコンテンツ一覧表からのシリーズコンテンツ再生方法について、説明する。
【０２２１】
図１３（ａ）および図１３（ｂ）は、それぞれ、この発明の録画再生装置に係るシリーズコンテンツの再生方法フローの一例である。
【０２２２】
図１３（ａ）に示すように、ユーザは再生するシリーズコンテンツを選択するために、前述の図９に示すシリーズコンテンツの一覧表９０１を表示する（ステップＳＴ１３０１）。
【０２２３】
ユーザはこの一覧表９０１で、再生したいシリーズコンテンツを選択し、再生指示の決定操作を行う（ステップＳＴ１３０２）。
【０２２４】
録画再生装置は、選択されたシリーズコンテンツに含まれる録画済みエピソード番号の中から、最も話数（エピソード番号）の若いエピソード番号を検索する（ステップＳＴ１３０３）。ここでのエピソード番号とは、ＥＩＴに配置されるシリーズ記述子に記述されているｅｐｉｓｏｄｅ＿ｎｕｍｂｅｒのことを指す。
【０２２５】
検出された該当エピソード番号から再生処理を開始する（ステップＳＴ１３０４）。
【０２２６】
再生処理が終了したら（ステップＳＴ１３０５）、検出された録画済みエピソード番号の中から再生したエピソード番号の次に若いエピソード番号を検索する（ステップＳＴ１３０６）。
【０２２７】
該当するエピソード番号が検出されたら（ステップＳＴ１３０７−ＹＥＳ）、（ステップＳＴ１３０４）へと戻り、新たに検出されたエピソード番号の再生処理を行う。
【０２２８】
該当するエピソード番号が検出されなかったら（ステップＳＴ１３０７−ＮＯ）、シリーズコンテンツの再生を終了する（ステップＳＴ１３０８）。
【０２２９】
これにより、シリーズ一覧表からシリーズコンテンツを選択することによって、シリーズコンテンツに含まれる話数（エピソード番号）のうち、最も若い話数（エピソード番号）から順番に再生することが可能となる。
【０２３０】
また、シリーズコンテンツ一覧表からの別のシリーズコンテンツ再生方法について説明する。
【０２３１】
図１３（ｂ）は、この発明の録画再生装置に係るシリーズコンテンツの再生方法フローの一例である。また、図１４は、この発明の録画再生装置に係るシリーズコンテンツの録画済みエピソード番号一覧表（エピソード一覧表）の一例である。
【０２３２】
図１３（ｂ）に示すように、ユーザは再生するシリーズコンテンツを選択するために、シリーズコンテンツの一覧表９０１を表示させる（ステップＳＴ１３０９）。
【０２３３】
ユーザはこの一覧表９０１で、再生したいシリーズコンテンツを選択し、再生指示の決定操作を行う（ステップＳＴ１３１０）。
【０２３４】
録画再生装置は、選択されたシリーズコンテンツに含まれる録画済み話数（エピソード番号）の一覧表１４０１を表示する（ステップＳＴ１３１１）。
【０２３５】
録画済み話数（エピソード番号）一覧表１４０１に表示されるシリーズの情報としては、シリーズ名情報１４０２、シリーズ話数情報１４０３、録画済みエピソード番号１４０４などがある。この情報１４０４の内容は、動的に更新される。すなわち、ユーザがカーソルを動かしたりポインティングデバイスでクリックしたりしてエピソード番号を選択するたびに、該当するエピソードの内容が表示されるように、情報１４０４の内容が入れ替わるということである。
【０２３６】
ドラマＡはシリーズ名情報１４０２である。４／６は録画済み話数／シリーズ総話数といったシリーズ話数情報１４０３である。これは、シリーズ記述子に記述されているｅｐｉｓｏｄｅ＿ｎｕｍｂｅｒやｌａｓｔ＿ｅｐｉｓｏｄｅ＿ｎｕｍｂｅｒを利用して表示してもよい。
【０２３７】
Ａ−１，Ａ−２，Ａ−３，Ａ−４は検出された録画済み話数（エピソード番号）１４０４である。表示している録画済み話数（エピソード番号）１４０４は、未視聴話数（エピソード番号）と視聴済み話数（エピソード番号）で色分けしてもよい。カーソルは話数（エピソード番号）を選択するためのカーソルである。また、カーソルの代わりに選択話数（エピソード番号）の色を変えてもよい。また、画面には選択された話数（エピソード番号）に関する情報を表示してもよい。サブタイトル情報１４０５は選択した話数（エピソード番号）についているサブタイトルである。日時情報１４０６は選択した話数（エピソード番号）が録画された日時である。録画時間情報１４０７は選択された話数（エピソード番号）の録画時間である。録画チャンネル情報１４０８は、選択された話数（エピソード番号）が放送されていたチャンネルを表すものである。
【０２３８】
この録画済み話数（エピソード番号）一覧表１４０１から再生したい話数（エピソード番号）を選択し、再生指示の決定操作を行う（ステップＳＴ１３１２）。
【０２３９】
選択された話数（エピソード番号）について再生処理を開始する（ステップＳＴ１３１３）。
【０２４０】
再生処理が終了したら（ステップＳＴ１３１４）、検出された録画済み話数（エピソード番号）の中から再生した話数（エピソード番号）の次に若い話数（エピソード番号）を検索する（ステップＳＴ１３１５）。
【０２４１】
該当する話数（エピソード番号）が検出されたら（ステップＳＴ１３１６−ＹＥＳ）、（ステップＳＴ１３１３）へと戻り、新たに検出された話数（エピソード番号）の再生処理を行う。
【０２４２】
該当する話数（エピソード番号）が検出されなかったら（ステップＳＴ１３１６−ＮＯ）、シリーズコンテンツの再生を終了する（ステップＳＴ１３１７）。
【０２４３】
また、ユーザの希望に合わせて、１つの話数（エピソード番号）が選択されて（ステップＳＴ１３０９）、再生処理の終了（ステップＳＴ１３１３）に達すればそこでシリーズコンテンツの再生を終了するような設定にしておくこともできる。
【０２４４】
これにより、コンテンツ一覧表からシリーズコンテンツを選択することによって、シリーズコンテンツに含まれる話数（エピソード番号）一覧が表示され、各話数（エピソード番号）の詳細情報を見ながら、再生する話数（エピソード番号）を選択することが可能となる。
【０２４５】
図１５は、この発明の録画再生装置に係るシリーズコンテンツの視聴方法フローの一例である。
【０２４６】
この例では、ユーザが全６話の録画済みシリーズコンテンツの［第３話］を視聴していたとする。なお、今見ている形態としては、図１１、図１３（ａ）、図１３（ｂ）、あるいはその他など、どのような形態であってもかまわない。
【０２４７】
ユーザは、シリーズコンテンツ［第３話］視聴中（ステップＳＴ１５０１）に、任意の話数（エピソード番号）、例えば第１話を視聴したいと考えた場合に、リモコン（図示せず）にある数字キーで『１』を入力する（ステップＳＴ１５０２）。
【０２４８】
ここで、ユーザが入力する数値とシリーズにおけるエピソード番号は一対一で対応している。
【０２４９】
ユーザからの数値入力を受け取ると、録画再生装置は、シリーズコンテンツから入力数値に該当するエピソード番号を検索する（ステップＳＴ１３０３）。前記例では、入力されたキー入力『１』を受け取ると、シリーズコンテンツ中の［第１話］を検索する。
【０２５０】
該当するエピソード番号が録画済みであった場合（ステップＳＴ１５０４−ＹＥＳ）、該当エピソード番号の再生処理を開始する（ステップＳＴ１５０５）。前記例では、［第１話］は録画済みであるので、［第１話］の再生処理を開始する。
【０２５１】
該当するエピソード番号が未録画であった場合（ステップＳＴ１５０４−ＮＯ）、再生画面にて、その旨をユーザに通知し、引き続き［第３話］の再生処理を行う。
【０２５２】
また、前記シリーズコンテンツ再生方法のように、エピソード番号を順次連続的に再生してもよいし、１話再生で再生処理を終了してもよい。
【０２５３】
図１６も、この発明の録画再生装置に係るシリーズコンテンツの視聴方法フローの一例である。
【０２５４】
この例でも、ユーザが全６話の録画済みシリーズコンテンツの第３話を視聴していたとする。なお、今見ている形態としては、図１１、図１３（ａ）、図１３（ｂ）、あるいはその他など、どのような形態であってもかまわない。
【０２５５】
ユーザはシリーズコンテンツ［第３話］視聴中（ステップＳＴ１６０１）に、１つ前の話数（エピソード番号）を視聴したいと考えた場合に、リモコン（図示せず）にある左右キーで『左』を押下する（ステップＳＴ１６０２）。
【０２５６】
ここで、ユーザからの左右キー入力とシリーズコンテンツにおける現在再生中エピソード番号の前後エピソード番号とが対応している。
【０２５７】
ユーザからの左（右）キー入力を受け取ると、現在再生中エピソード番号の前（後）エピソード番号を検索する（ステップＳＴ１６０３）。前記例では、ユーザからのキー入力『左』を受け取ると、対応するシリーズコンテンツ中の［第２話］を検索する。なお、ステップＳＴ１６０２で、『左』キーを２回押下することで、２つ前（この例では第１話）を検索するようにもできる。
【０２５８】
該当するエピソード番号『２』が録画済みであった場合（ステップＳＴ１６０４−ＹＥＳ）、該当エピソード番号の再生処理を開始する（ステップＳＴ１６０５）。前記例では、該当エピソード［第２話］は録画済みであるので、［第２話］の再生処理を開始する。
【０２５９】
該当するエピソード番号が未録画であった場合（ステップＳＴ１６０４−ＮＯ）、再生画面にて、その旨をユーザに通知し、引き続き［第３話］の再生処理を行う。
【０２６０】
これは、リモコンの『右』キー押下で１つ先のエピソード番号について同様の処理を行ってもよい。
【０２６１】
また、前記シリーズコンテンツ再生方法のように、エピソード番号を順次連続的に再生してもよいし、１話再生で再生処理を終了してもよい。
【０２６２】
また、（ステップＳＴ１６０３）ないし（ステップＳＴ１６０４）にて、該当コンテンツが検出されるまでもしくは、検索するエピソード番号がシリーズコンテンツの先頭または終端となるまで検索してもよい。
【０２６３】
図１７も、この発明の録画再生装置に係るシリーズコンテンツの再生方法の一例である。
【０２６４】
シリーズコンテンツ再生中（ステップＳＴ１７０１）に、ユーザの操作によりシリーズ内に含まれるエピソード番号一覧１４０１（図１４参照）を表示する（ステップＳＴ１７０２）。
【０２６５】
ユーザは、この録画済みエピソード番号一覧表１４０１から再生したいエピソード番号を選択し、再生指示の決定操作を行う（ステップＳＴ１７０３）。
【０２６６】
録画再生装置は、選択されたエピソード番号について再生処理を開始する（ステップＳＴ１７０４）。
【０２６７】
また、前記シリーズコンテンツ再生方法のように、エピソード番号を順次連続的に再生してもよいし、１話再生で再生処理を終了してもよい。
【０２６８】
続いて、シリーズコンテンツの一括削除について説明する。
【０２６９】
図１８は、この発明の録画再生装置に係るシリーズコンテンツの一括削除方法の一例である。
【０２７０】
ユーザは削除するシリーズコンテンツを選択するために、前述の図９に示すシリーズコンテンツの一覧表９０１を表示する（ステップＳＴ１８０１）。
【０２７１】
ユーザはこの一覧表９０１で、削除したいシリーズコンテンツを選択し、削除指示の決定操作を行う（ステップＳＴ１８０２）。
【０２７２】
シリーズコンテンツが選択されると、該当シリーズコンテンツに含まれる録画済みエピソード番号を検索する（ステップＳＴ１８０３）。
【０２７３】
録画済みエピソード番号が検出されると（ステップＳＴ１８０４−ＹＥＳ）、該当エピソード番号の削除処理を行う（ステップＳＴ１８０５）。
【０２７４】
削除処理終了後、（ステップＳＴ１８０３）へ戻り、再び選択されたシリーズＩＤに含まれる録画済みエピソード番号を検索する。
【０２７５】
該当するエピソード番号が検出されなかったら（ステップＳＴ１８０４−ＮＯ）、シリーズコンテンツの削除を終了する。
【０２７６】
【発明の効果】
以上のように、本発明に係るコンテンツ録画再生管理装置は、コンテンツごとに、それが録画済みかどうかを示す情報である録画ステータス情報が登録されたシリーズ管理テーブルを格納する記憶部と、放送元から一定期間に定期的に放送されるシリーズコンテンツについて、該シリーズコンテンツを特定する情報を示すシリーズＩＤと、該シリーズコンテンツの第何回目の放送分であるかを示すエピソード番号とを上記シリーズ管理テーブルに登録し、上記録画ステータス情報を上記シリーズ管理テーブルへエピソード番号ごとに登録する制御部とを備えた構成である。
【０２７７】
また、本発明に係るコンテンツ録画再生管理プログラムは、コンピュータを上記のコンテンツ録画再生管理装置における記憶部および制御部として機能させるためのプログラムである構成である。
【０２７８】
また、本発明に係るコンテンツ録画再生管理プログラムを格納したコンピュータ読み取り可能な記録媒体は、上記コンテンツ録画再生管理プログラムを記憶した構成である。
【０２７９】
これにより、録画した順番とエピソード番号とが一致していなくても、再生順序をエピソード番号順に並び替えることができる。
【０２８０】
それゆえ、エピソード番号の順に録画するのではなくアトランダムな順番で各エピソードを録画しても、録画後に、エピソード番号順に再生順序を並び替えることで、目当てのエピソードを探しやすく、またエピソード番号順に連続再生したりするための操作を容易に行うことができるなど、シリーズコンテンツの管理を容易に行うことができるという効果を奏する。
【０２８１】
また、本発明に係るコンテンツ録画再生管理方法は、上記制御部によって、シリーズ管理テーブルに、放送元から一定期間に定期的に放送されるシリーズコンテンツについて、該シリーズコンテンツを特定する情報を示すシリーズＩＤと、該シリーズコンテンツの第何回目の放送分であるかを示すエピソード番号とを登録し、エピソード番号ごとに、録画済みかどうかを示す情報である録画ステータス情報を登録して上記記憶部に格納する構成である。
【０２８２】
これにより、録画した順番とエピソード番号とが一致していなくても、再生順序をエピソード番号順に並び替えることができる。それゆえ、エピソード番号の順に録画するのではなくアトランダムな順番で各エピソードを録画しても、録画後に、エピソード番号順に再生順序を並び替えることで、目当てのエピソードを探しやすく、またエピソード番号順に連続再生したりするための操作を容易に行うことができるなど、シリーズコンテンツの管理を容易に行うことができるという効果を奏する。
【０２８３】
また、本発明に係るコンテンツ録画再生管理方法は、上記の構成に加えて、一回限りの録画である通常録画か毎回録画するシリーズ録画かに関係なく、シリーズコンテンツについては、放送されてくるエピソード番号を上記シリーズ管理テーブルに登録する構成である。
【０２８４】
これにより、まちがって通常録画してしまった場合でも、後からシリーズコンテンツとして管理できる。それゆえ、上記の構成による効果に加えて、管理をより容易にすることができるという効果を奏する。
【０２８５】
また、本発明に係るコンテンツ録画再生管理方法は、上記の構成に加えて、どのシリーズコンテンツのどのエピソード番号をいつ放送するかを示す番組付帯情報を放送されて、その中に、シリーズコンテンツを毎回録画するのを予約しておく処理であるシリーズコンテンツ録画予約を行う対象となっているシリーズコンテンツに属し、かつ、未録画のエピソード番号があった場合に、その番組付帯情報に示されている情報に従って録画予約の日時およびチャンネルを設定し、録画予約した旨を上記シリーズ管理テーブルに登録する処理を行う構成である。
【０２８６】
これにより、シリーズコンテンツを毎回録画することにしているが録画し損なったものがあった場合に、もし、もう一度それがある日時に放送（再放送）されるようなことがあれば、今後の録画予約設定はそのままで、そのエピソードについてはその日時に録画予約することができる。それゆえ、上記の構成による効果に加えて、ユーザが意識しなくても、録画し損なったエピソードを、再放送の機会をとらえてもれなく録画することができるという効果を奏する。
【０２８７】
また、本発明に係るコンテンツ録画再生管理方法は、上記の構成に加えて、ユーザに提示するための、録画が済んだコンテンツの一覧を表す一覧表として、シリーズコンテンツではないコンテンツについてはコンテンツごとに１件とし、またシリーズコンテンツについてはエピソードごとではなくシリーズコンテンツごとに１件とする一覧表であるコンテンツ一覧表を表示する構成である。
【０２８８】
これにより、録画済みのシリーズコンテンツの数が大量になった場合でも、同じシリーズコンテンツでエピソード番号が異なるものはエピソード単位ではなくシリーズコンテンツ単位で一覧表示されるので、その分一覧表がコンパクトになり、また同じシリーズコンテンツのエピソード同士が表の各所にちらばることがない。それゆえ、上記の構成による効果に加えて、所望のシリーズコンテンツを容易に選択することができるという効果を奏する。
【０２８９】
また、本発明に係るコンテンツ録画再生管理方法は、上記の構成に加えて、上記コンテンツ一覧表で、ユーザから選択を受けると、選択されたのが、シリーズコンテンツではないコンテンツであった場合には、そのコンテンツを再生し、選択されたのが、シリーズコンテンツであった場合には、そのシリーズコンテンツで録画済みのもののうちでエピソード番号の最も小さいエピソードから順に再生する構成である。
【０２９０】
これにより、エピソード番号の最も小さいエピソードから順に再生したい場合に、コンテンツ一覧表内をくまなく見て、録画済みでエピソード番号の最も小さいエピソードを見つけ出す作業をしなくても、シリーズコンテンツを選択するだけで、所望の再生が行える。それゆえ、上記の構成による効果に加えて、所望のシリーズコンテンツを容易に選択することができるという効果を奏する。
【０２９１】
また、本発明に係るコンテンツ録画再生管理方法は、上記の構成に加えて、上記コンテンツ一覧表で、ユーザから選択を受けると、選択されたのが、シリーズコンテンツではないコンテンツであった場合には、そのコンテンツを再生し、選択されたのが、シリーズコンテンツであった場合には、そのシリーズコンテンツで録画済みのエピソードの一覧表であるエピソード一覧表を表示し、上記エピソード一覧表で、ユーザから選択を受けると、選択されたエピソードを再生する構成である。
【０２９２】
これにより、所望のエピソードを再生したい場合に、コンテンツ一覧表内をくまなく見て、録画済みでエピソード番号の最も小さいエピソードを見つけ出す作業をしなくても、シリーズコンテンツを選択し、そのシリーズコンテンツについてのエピソードの一覧表であるエピソード一覧表を見てエピソードを選択するだけで、所望の再生が行える。それゆえ、上記の構成による効果に加えて、所望のシリーズコンテンツを容易に選択することができるという効果を奏する。
【０２９３】
また、本発明に係るコンテンツ録画再生管理方法は、上記の構成に加えて、エピソード一覧表内でユーザによりエピソードを選択されると、それに合わせて、その選択されたエピソードに関する情報をユーザに提示する構成である。
【０２９４】
これにより、エピソードを選択するだけで、その内容を表示させる指示を与えなくても、選択したエピソードがどんな内容に関するものかをユーザが容易に把握することができる。それゆえ、上記の構成による効果に加えて、シリーズコンテンツの選択をより容易にすることができるという効果を奏する。
【０２９５】
また、本発明に係るコンテンツ録画再生管理方法は、上記の構成に加えて、上記エピソード一覧表で、ユーザから選択を受けると、選択されたエピソードから再生を始めて、選択されたエピソードのエピソード番号以上のエピソード番号を持つエピソードをエピソード番号の小さい順に再生する構成である。
【０２９６】
これにより、所望のエピソードから順次再生したい場合に、コンテンツ一覧表内をくまなく見て、録画済みでエピソード番号の最も小さいエピソードを見つけ出す作業をしなくても、シリーズコンテンツを選択し、そのシリーズコンテンツについてのエピソードの一覧表であるエピソード一覧表を見てエピソードを選択するだけで、所望の再生が行える。それゆえ、上記の構成による効果に加えて、所望のシリーズコンテンツを容易に選択することができるという効果を奏する。
【０２９７】
また、本発明に係るコンテンツ録画再生管理方法は、上記の構成に加えて、上記エピソード一覧表で、ユーザから選択を受けると、選択されたエピソードのみ再生する構成である。
【０２９８】
これにより、所望のエピソードのみを再生したい場合に、コンテンツ一覧表内をくまなく見て、録画済みでエピソード番号の最も小さいエピソードを見つけ出す作業をしなくても、シリーズコンテンツを選択し、そのシリーズコンテンツについてのエピソードの一覧表であるエピソード一覧表を見てエピソードを選択するだけで、所望の再生が行える。それゆえ、上記の構成による効果に加えて、所望のシリーズコンテンツを容易に選択することができるという効果を奏する。
【０２９９】
また、本発明に係るコンテンツ録画再生管理方法は、上記の構成に加えて、エピソードの再生中に、ユーザから、同じシリーズコンテンツの別のエピソードの再生指示を受けると、指示を受けたシリーズコンテンツのエピソードの先頭から再生を始める構成である。
【０３００】
これにより、エピソードの再生中に、ユーザが、同じシリーズコンテンツの別のエピソードを再生したくなった場合、わざわざコンテンツ一覧表の表示にまで戻ってまたシリーズコンテンツの選択処理から始めなくても、所望のエピソードを指示するだけで、そのエピソードの先頭から再生を始めることができる。それゆえ、上記の構成による効果に加えて、所望のシリーズコンテンツを容易に選択することができるという効果を奏する。
【０３０１】
また、本発明に係るコンテンツ録画再生管理方法は、上記の構成に加えて、上記ユーザからの、同じシリーズコンテンツの別のエピソードの再生指示が、対象のエピソードのエピソード番号の入力処理である構成である。
【０３０２】
これにより、上記の構成による効果に加えて、所望のシリーズコンテンツを容易に選択することができるという効果を奏する。
【０３０３】
また、本発明に係るコンテンツ録画再生管理方法は、上記の構成に加えて、上記ユーザからの、同じシリーズコンテンツの別のエピソードの再生指示が、エピソード番号を増減させる指示の入力処理である構成である。
【０３０４】
これにより、上記の構成による効果に加えて、所望のシリーズコンテンツを容易に選択することができるという効果を奏する。
【０３０５】
また、本発明に係るコンテンツ録画再生管理方法は、上記の構成に加えて、シリーズコンテンツのエピソードを再生中に、ユーザから指示を受けると、そのシリーズコンテンツで録画済みのエピソードの一覧表であるエピソード一覧表を表示し、上記エピソード一覧表で、ユーザから選択を受けると、選択されたエピソードを再生する構成である。
【０３０６】
これにより、あるエピソードを再生しているときに、そのシリーズコンテンツの別のエピソードを再生したくなった場合に、コンテンツ一覧表内をくまなく見て、録画済みでエピソード番号の最も小さいエピソードを見つけ出す作業をしなくても、エピソード一覧表を呼び出して、そこでエピソードを選択するだけで、所望の再生が行える。それゆえ、上記の構成による効果に加えて、所望のシリーズコンテンツを容易に選択することができるという効果を奏する。
【０３０７】
また、本発明に係るコンテンツ録画再生管理方法は、上記の構成に加えて、エピソード一覧表内でユーザによりエピソードを選択されると、それに合わせて、その選択されたエピソードに関する情報をユーザに提示する構成である。
【０３０８】
これにより、エピソードを選択するだけで、その内容を表示させる指示を与えなくても、選択したエピソードがどんな内容に関するものかをユーザが容易に把握することができる。それゆえ、上記の構成による効果に加えて、シリーズコンテンツの選択をより容易にすることができるという効果を奏する。
【０３０９】
また、本発明に係るコンテンツ録画再生管理方法は、上記の構成に加えて、上記エピソード一覧表で、ユーザから選択を受けると、選択されたエピソードから再生を始めて、選択されたエピソードのエピソード番号以上のエピソード番号を持つエピソードをエピソード番号の小さい順に再生する構成である。
【０３１０】
これにより、所望のエピソードから順次再生したい場合に、再生が終わるたびにエピソード一覧表を呼び出す作業をしなくても、エピソード一覧表を見て１回エピソードを選択するだけで、所望の再生が行える。それゆえ、上記の構成による効果に加えて、所望のシリーズコンテンツを容易に選択することができるという効果を奏する。
【０３１１】
また、本発明に係るコンテンツ録画再生管理方法は、上記の構成に加えて、上記エピソード一覧表で、ユーザから選択を受けると、選択されたエピソードのみ再生する構成である。
【０３１２】
これにより、所望のエピソードのみを再生したい場合に、再生が終わるのに合わせて停止指示をしなくても、エピソード一覧表を見て１回エピソードを選択するだけで、所望の再生が行える。それゆえ、上記の構成による効果に加えて、所望のシリーズコンテンツを容易に選択することができるという効果を奏する。
【０３１３】
また、本発明に係るコンテンツ録画再生管理方法は、上記の構成に加えて、上記コンテンツ一覧表において、ユーザから、シリーズコンテンツの削除指示を受けると、そのシリーズコンテンツに属する録画済みのすべてのエピソードを削除する構成である。
【０３１４】
これにより、ユーザが、あるシリーズコンテンツについて、録画済みのすべてのエピソードを削除したい場合に、対象となるエピソードを一つ一つ選択していくことなく、コンテンツ一覧表においてシリーズコンテンツを選択するだけで、該当のシリーズコンテンツをすべて削除することができる。それゆえ、上記の構成による効果に加えて、不要なシリーズコンテンツの削除処理を容易に行うことができるという効果を奏する。
【図面の簡単な説明】
【図１】本発明に係る録画再生装置の概略構成例を示すブロック図である。
【図２】（ａ）および（ｂ）は、本発明に係る録画再生装置において受信する放送の概略データ構成例を示す図である。
【図３】本発明に係る録画再生装置においてシリーズ番組を管理する管理フォーマットを示す図である。
【図４】本発明に係る録画再生装置においてシリーズ番組を管理する管理フォーマットを示す図（シリーズＩＤ：２  エピソード番号：２  録画ステータス：未録画）である。
【図５】（ａ）および（ｂ）は、本発明に係る録画再生装置においてシリーズ番組を管理する管理フォーマットを示す図（シリーズＩＤ：２  エピソード番号：２  録画ステータス：録画予約・録画済み）である。
【図６】本発明に係る録画再生装置において未録画話数の録画予約動作のフローチャートである。
【図７】本発明に係る録画再生装置において放送に多重されてきた番組付帯情報内のシリーズ情報を示す図である。
【図８】本発明に係る録画再生装置におけるシリーズ録画予約実行動作のフローチャートである。
【図９】本発明に係る録画再生装置における録画済みコンテンツ一覧表の表示画面である。
【図１０】本発明に係る録画再生装置における録画済みコンテンツ一覧表をＥＰＧ画面に組み込んだ表示画面である。
【図１１】本発明に係る録画再生装置におけるＥＰＧ画面に組み込んだ録画済みコンテンツ一覧表からのシリーズコンテンツ再生動作のフローチャート（シリーズ選択・再生フローチャート）である。
【図１２】本発明に係る録画再生装置におけるＥＰＧ画面に組み込んだ録画済みコンテンツ一覧表からのシリーズコンテンツ再生動作のフローチャート（話数選択・再生フローチャート）である。
【図１３】（ａ）および（ｂ）は、本発明に係る録画再生装置における録画済みコンテンツ一覧表からのシリーズコンテンツ再生動作のフローチャートである。
【図１４】本発明に係る録画再生装置における録画済みコンテンツ一覧表からシリーズコンテンツを選択したときの録画済み話数一覧表の表示画面である。
【図１５】本発明に係る録画再生装置における任意話数へ再生位置を移動させるシリーズコンテンツ再生動作のフローチャートである。
【図１６】本発明に係る録画再生装置における前後話数へ再生位置を移動させるシリーズコンテンツ再生動作のフローチャートである。
【図１７】本発明に係る録画再生装置における選択話数へ再生位置を移動させるシリーズコンテンツ再生動作のフローチャートである。
【図１８】本発明に係る録画再生装置におけるシリーズコンテンツの一括削除動作のフローチャートである。
【図１９】従来技術におけるシリーズ番組不履行時の番組自動検出／自動予約設定のフローチャートである。
【符号の説明】
１０１    受信部
１０２    番組付帯情報分離部
１０３    シリーズ管理テーブル構築部（制御部）
１０４    シリーズ管理テーブル記録部（記憶部）
１０５    シリーズリスト表示部（制御部）
１０６    記録再生制御部（制御部）
１０７    記録再生部
１０８    デコード部
１０９    多重化部
１１０    シリーズ選択部（制御部）
３０１    シリーズ管理テーブル
３０２    番組名
３０３    シリーズＩＤ
３０４    総エピソード番号
３０５    エピソード番号
３０６    録画ステータス情報
３０７    目次情報
４０１    シリーズ管理テーブル
５０１    シリーズ管理テーブル（録画予約状態）
５０２    シリーズ管理テーブル（録画済み状態）
７０１    シリーズ情報
７０２    シリーズ記述子（シリーズＩＤ：２  エピソード番号：２）
７０３    シリーズ記述子（シリーズＩＤ：２  エピソード番号：３）
７０４    シリーズ記述子（シリーズＩＤ：５  エピソード番号：１）
７０５    シリーズ記述子（シリーズＩＤ：５  エピソード番号：２）
７０６    シリーズ記述子（シリーズＩＤ：５  エピソード番号：３）
７０７    シリーズ記述子（シリーズＩＤ：８  エピソード番号：４）
９０１    録画済みコンテンツ一覧表
９０２    未／既視聴情報
９０２    タイトル名
９０４    シリーズ話数情報
９０５    録画日時情報
９０６    録画時間情報
９０７    録画チャンネル情報
１００１    ＥＰＧへ組み込んだシリーズコンテンツ一覧表
１００２    タイトル名
１００３    話数
１００４    選択したシリーズ／話数情報
１００５    シリーズ名
１００６    シリーズ話数情報
１００７    チャンネル情報
１００８    時間情報
１００９    話数毎のサブタイトル
１４０１    録画済み話数一覧表
１４０２    シリーズ名情報
１４０３    シリーズ話数情報
１４０４    録画済みエピソード番号
１４０５    サブタイトル情報
１４０６    日時情報
１４０７    録画時間情報
１４０８    録画チャンネル情報
Ｓ１０１    放送信号
Ｓ１０２    放送ストリーム
Ｓ１０３    番組付帯情報
Ｓ１０４    シリーズ管理テーブル構成内容データ
Ｓ１０５    シリーズ管理テーブル構成内容データ
Ｓ１０６    記録ストリーム
Ｓ１０７    記録・再生ストリーム
Ｓ１０８    再生ストリーム
Ｓ１０９    シリーズリスト表示用データ
Ｓ１１０    映像データ
Ｓ１１１    目次情報
Ｓ１１２    映像出力
Ｓ１１３    シリーズ選択情報
Ｓ１１４    シリーズ再生選択情報
【図１】
2004343520.tif 000003
【図２】
2004343520.tif 000004
【図３】
2004343520.tif 000005
【図４】
2004343520.tif 000006
【図５】
2004343520.tif 000007
【図６】
2004343520.tif 000008
【図７】
2004343520.tif 000009
【図８】
2004343520.tif 000010
【図９】
2004343520.tif 000011
【図１０】
2004343520.tif 000012
【図１１】
2004343520.tif 000013
【図１２】
2004343520.tif 000014
【図１３】
2004343520.tif 000015
【図１４】
2004343520.tif 000016
【図１５】
2004343520.tif 000017
【図１６】
2004343520.tif 000018
【図１７】
2004343520.tif 000019
【図１８】
2004343520.tif 000020
【図１９】
2004343520.tif 000021